(57)【要約】      （修正有）【課題】近距離場音響信号を使用してエンドユーザデバイスを構成する中間コンピューティングデバイス、システム及び方法を提供する。【解決手段】中間デバイスが、エンドユーザデバイスのために音響構成ファイルを再生するように動作させられる。音響構成ファイルは、エンドユーザデバイスによって検出可能である構成パラメータを埋め込むことができる。特に、エンドユーザデバイスは、エンドユーザデバイスをネットワークサービスとの通信のために構成する動作などの選択動作を実行することに関連して構成パラメータを使用する可能性がある。【選択図】図１
2015089106.tif 000002
【特許請求の範囲】
【請求項１】
コンピュータにおいて、エンドユーザデバイスに情報を取得させる方法であって、
ネットワークを介したサービスを提供するアプリケーションを利用するために必要な情報、及びネットワーク接続に必要な情報のうちの少なくともいずれか一方の情報を取得する取得ステップと、
前記取得ステップにおいて取得された情報に基づいて１組の構成パラメータを特定する特定ステップと、
前記構成パラメータが埋め込まれた音響構成ファイルの少なくとも一部を生成する生成ステップと、
前記構成パラメータを前記エンドユーザデバイスに取得させるために前記音響構成ファイルを再生する再生ステップと、を含み、
前記コンピュータは、前記ネットワークを介したサービスに関連するサーバ、又は前記エンドユーザデバイスのユーザの端末装置であり、
当該方法の各ステップは、前記サーバ又は前記端末装置により実施される、
方法。
【請求項２】
前記生成ステップは、
前記端末装置が前記サーバから第１の音響構成ファイルを受信するサブステップであって、前記第１の音響構成ファイルが、構成パラメータの第１の組を含む、サブステップと、
前記端末装置において、構成パラメータの第２の組を決定するサブステップと、
前記端末装置において、前記第１の音響構成ファイルを含む第２の音響構成ファイルを生成するサブステップであって、前記第２の音響構成ファイルが、構成パラメータの前記第１の組及び構成パラメータの前記第２の組を含む、サブステップと、
を含む、請求項１に記載の方法。
【請求項３】
前記第２の音響構成ファイルを生成するサブステップが、構成パラメータの前記第２の組に対応する音響データを生成し、次いで、前記第１の音響構成ファイルの音響データを前記第２の音響構成ファイルの音響データと組み合わせることを含む、
請求項２に記載の方法。
【請求項４】
構成パラメータの前記第２の組を決定するサブステップが、前記ネットワークを介したサービスにアクセスする際に使用するためのローカルネットワークのパラメータを決定することを含む請求項２または３に記載の方法。
【請求項５】
前記ローカルネットワークのパラメータが、前記端末装置が接続されるローカルネットワークの識別子と、前記ローカルネットワークにアクセスするための暗号化鍵とを含む請求項４に記載の方法。
【請求項６】
前記生成ステップが、音声コンテンツを前記音響構成ファイルに組み込むサブステップを含み、前記音声コンテンツが音楽又は音声メッセージのうちの少なくとも１つに対応し、
前記再生ステップが、前記構成パラメータを前記エンドユーザデバイスに音響的に取得させながら前記音声コンテンツを再生するサブステップを含む請求項１〜５のいずれか一項に記載の方法。
【請求項７】
前記生成ステップにおいて、ユーザの前記ネットワークを介したサービスの利用に関する履歴又はユーザの属性情報に基づき、前記音声コンテンツを決定する、
請求項９に記載の方法。
【請求項８】
前記サーバが、アカウントと送信先アドレスとを関連付けた記憶手段から、前記ユーザのアカウントと関連付けられた送信先アドレスを取得し、生成ステップにおいて生成された前記音響構成ファイルを該送信先アドレス宛に送信するステップを更に含み、
前記再生ステップは、前記送信先アドレス宛に送信された音響構成ファイルを受信した前記端末装置が行う、請求項１〜７のいずれか一項に記載の方法。
【請求項９】
前記構成パラメータが、アカウント識別子、ログイン、パスワード、及び／又は支払い情報のうちの１つ又は複数を含み、
前記エンドユーザデバイスにおいて、前記構成パラメータを用いて当該エンドユーザデバイスを前記ネットワークを介したサービスにアクセス可能に構成する構成ステップ、をさらに含む、
請求項８に記載の方法。
【請求項１０】
前記構成パラメータが、１つ又は複数の設定又は診断パラメータを含み、
前記構成ステップが、前記エンドユーザデバイスを診断する診断プロセスを実施するサブステップを含み、
前記エンドユーザデバイスが、構成プロセス又は／及び前記診断プロセスの結果として生じる情報を含む音響情報ファイルを生成するステップと、
前記エンドユーザデバイスが、前記端末装置により検出させるために前記音響情報ファイルを再生するステップと、
をさらに含む請求項９に記載の方法。
【請求項１１】
エンドユーザデバイスに、情報を取得させるシステムであって、
ネットワークを介してサービスを提供するアプリケーションを利用するために必要な情報、及びネットワーク接続に必要な情報のうちの少なくともいずれか一方の情報を取得する取得手段と、
前記取得手段において取得された情報に基づいて１組の構成パラメータを特定する特定手段と、
前記構成パラメータが埋め込まれた音響構成ファイルの少なくとも一部を生成する生成手段と、
前記構成パラメータを前記エンドユーザデバイスに取得させるために前記音響構成ファイルを再生する再生手段と、
を備えるシステム。
【請求項１２】
前記システムは、前記ネットワークを介したサービスに関連するサーバ及び前記エンドユーザデバイスのユーザの端末装置を含み、
前記端末装置が前記生成手段を備え、
前記生成手段は、
前記サーバから第１の音響構成ファイルを受信する手段であって、前記第１の音響構成ファイルが、構成パラメータの第１の組を含む、手段と、
構成パラメータの第２の組を決定する手段と、
前記第１の音響構成ファイルを含む第２の音響構成ファイルを生成する手段であって、前記第２の音響構成ファイルが、構成パラメータの前記第１の組及び構成パラメータの前記第２の組を含む、手段と、を含む、
請求項１１に記載のシステム。
【請求項１３】
前記生成手段は、音声コンテンツを前記音響構成ファイルに組み込む手段を含み、ユーザの前記ネットワークを介したサービスの利用に関する履歴又はユーザの属性情報に基づき、前記音声コンテンツを決定し、
前記音声コンテンツが音楽又は音声メッセージのうちの少なくとも１つに対応し、
前記再生手段は、前記構成パラメータを前記エンドユーザデバイスに音響的に取得させながら前記音声コンテンツを再生する、
請求項１１に記載のシステム。
【請求項１４】
アカウントと送信先アドレスとを関連付けた記憶手段から、前記ユーザのアカウントと関連付けられた送信先アドレスを取得し、生成ステップにおいて生成された前記音響構成ファイルを該送信先アドレス宛に送信する手段を更に備え、
前記再生手段は、前記送信先アドレス宛に送信された音響構成ファイルを受信した装置に備えられる、
請求項１１に記載のシステム。
【発明の詳細な説明】
【技術分野】
【０００１】
[0001]本明細書において説明される例は、一般に、近距離場音響信号を使用してエンドユーザデバイスを構成する中間コンピューティングデバイス、システム及び方法に関する。
【背景技術】
【０００２】
[0002]ネットワークサービスからサービス及びリソースを受け取ることができる多くの種類のコンシューマデバイスが存在する。そのようなデバイスは、アプリケーションを動作させるか、又はデバイスを特定のサービスの特定のアカウントにリンクするその他の機能を提供することができる。例えば、電子リーダデバイスは、通常、オンライン書店にリンクし、メディア再生デバイスは、ユーザがオンラインメディアライブラリにアクセスすることができるようにするアプリケーションを含むことが多い。この文脈で、ユーザアカウントは、ユーザがデバイスの恩恵及び機能を十分に享受することを可能にすることができる。
【図面の簡単な説明】
【０００３】
【図１】第１実施形態による、エンドユーザデバイスが近距離場音響信号を使用することによってネットワークサービスにアクセスするように構成されるシステムを示す図である。
【図２】第１実施形態において説明される中間コンピューティングデバイスの例を示す図である。
【図３】第１実施形態による、エンドユーザデバイスを構成する音響出力信号を生成する目的で中間デバイスによって音響インターフェースが実装され得る実施形態を示す図である。
【図４】第１実施形態による、中間デバイスを使用して音響構成ファイルを受信し、エンドユーザデバイスに対して音響構成ファイルを再生するための方法を示す図である。
【図５】第１実施形態による、中間デバイスが、決定された構成パラメータを、エンドユーザデバイスに対して再生するための音響構成ファイルに組み込むための方法を示す図である。
【図６】第１実施形態による、中間デバイスが、ネットワークサービスから音響構成ファイルを受信し、エンドユーザデバイスに対して再生するための音響構成ファイルを付加又は増強するための方法を示す図である。
【図７】第２実施形態による、エンドユーザデバイスが、近距離場音響信号を使用することによってネットワークサービスにアクセスするように構成されるシステムを示す図である。
【図８】第２実施形態における電子リーダデバイスの例を示す図である。
【図９】第２実施形態におけるサーバの例を示す図である。
【図１０】第２実施形態による、音響構成ファイル又は信号を生成するための音響インターフェースを示す図である。
【図１１】第２実施形態による、エンドユーザデバイスによって実装され得る音響インターフェースを示す図である。
【図１２】第２実施形態による、エンドユーザデバイスが使用するための音響構成ファイルをネットワークサービスから生成するための方法を示す図である。
【図１３】第２実施形態による、エンドユーザデバイスが音響構成ファイルを受信し、処理するための方法を示す図である。
【発明を実施するための形態】
【０００４】
（第１実施形態）[0009]本明細書において説明される実施形態によれば、中間デバイスが、エンドユーザデバイスのために音響構成ファイルを再生するように動作させられる。音響構成ファイルは、エンドユーザデバイスによって検出可能である構成パラメータを埋め込むことができる。特に、エンドユーザデバイスは、エンドユーザデバイスをネットワークを介したサービス（ネットワークサービス）との通信のために構成する動作などの選択動作を実行することに関連して構成パラメータを使用する可能性がある。
【０００５】
[0010]一実施形態において、中間デバイスは、中間デバイスによって決定された情報に基づいて１組の構成パラメータを決定する。中間デバイスは、構成パラメータを埋め込む音響構成ファイルの少なくとも一部を生成する。加えて、中間デバイスは、構成パラメータをエンドユーザデバイスに運ぶ音響信号を生成するために音響構成ファイルを再生する。
【０００６】
[0011]一部の実施形態によれば、音響構成ファイルは、コンテンツを含む。１つの実装において、音声構成ファイルのコンテンツは、音楽を含む。変更形態において、音声構成ファイルは、命令又はその他の通知を与えるソース（例えば、ネットワークサービス）からのメッセージなどの音声を含む。さらに、一部の変更形態において、音声構成ファイルからの音声出力は、可聴（ｉｎ−ａｕｄｉｏ）周波数（１０Ｈｚ＜ｆｓ＜２２．０５ｋＨｚ）の範囲内で与えられる。その他の変更形態において、音響構成ファイルからの音声出力は、帯域外周波数範囲（１００ｋＨｚ＞ｆｓ＞２２．０５ｋＨｚ）内で与えられる。
【０００７】
[0012]さらに別の実施形態において、中間デバイスは、ネットワークサービスから第１の音響構成ファイルを受信する。第１の音響構成ファイルは、構成パラメータの第１の組を含み得る。中間デバイスは、例えば、モバイルコンピューティングデバイスのローカルリソースを使用して構成パラメータの第２の組を決定する可能性もある。中間デバイスは、第１の音響構成ファイルを含む第２の音響構成ファイルを生成する可能性がある。第２の音響構成ファイルは、構成パラメータの第１の組と構成パラメータの第２の組とを含む可能性がある。
【０００８】
[0013]本明細書において説明される１つ又は複数の実施形態は、コンピューティングデバイスによって実行される方法、技術、及び動作が、プログラムによって実行されるか、又はコンピュータによって実装される方法として実行されると規定する。プログラムによってとは、コード、又はコンピュータが実行可能な命令を使用することによってという意味である。プログラムによって実行されるステップは、自動的である可能性があり、又は自動的ではない可能性がある。
【０００９】
[0014]本明細書において説明される１つ又は複数の実施形態は、プログラムのモジュール又は構成要素を使用して実装される可能性がある。プログラムのモジュール又は構成要素は、プログラム、サブルーチン、プログラムの一部、又は１つ若しくは複数の定められたタスク若しくは機能を実行することができるソフトウェア若しくはハードウェア構成要素を含み得る。本明細書において使用されるとき、モジュール又は構成要素は、その他のモジュール又は構成要素とは独立にハードウェア構成要素上に存在する可能性がある。代替的に、モジュール又は構成要素は、その他のモジュール、プログラム、又はマシンの共有された要素又はプロセスである可能性がある。
【００１０】
[0015]さらに、本明細書において説明される１つ又は複数の実施形態は、１つ又は複数のプロセッサによって実行可能である命令を通じて実装される可能性がある。これらの命令は、コンピュータ可読媒体で運ばれる可能性がある。以下で図面によって示されるか又は説明されるマシンは、本発明の実施形態を実装するための命令が運ばれ得る及び／又は実行され得る処理リソース及びコンピュータ可読媒体の例を提供する。特に、本発明の実施形態によって示される多くのマシンは、（１つ又は複数の）プロセッサと、データ及び命令を保持するためのさまざまな形態のメモリとを含む。コンピュータ可読媒体の例は、パーソナルコンピュータ又はサーバのハードドライブなどの永続的なメモリストレージデバイスを含む。コンピュータストレージ媒体のその他の例は、ＣＤ又はＤＶＤユニット、（多くのセル電話及び家庭用電化製品で運ばれるような）フラッシュ又は個体メモリ、並びに磁気式メモリをなどの可搬型ストレージユニットを含む。コンピュータ、端末、ネットワーク対応デバイス（例えば、セル電話などのモバイルデバイス）は、すべて、プロセッサ、メモリ、及びコンピュータ可読媒体に記憶された命令を利用するマシン及びデバイスの例である。加えて、実施形態は、コンピュータプログラム、又はそのようなプログラムを運ぶことができるコンピュータが使用可能な搬送媒体の形態で実装され得る。
【００１１】
（[0016]システム及びデバイスの説明）
[0017]図１は、一実施形態による、エンドユーザデバイスが近接場音響信号を使用することによってネットワークサービスにアクセスするように構成されるシステムを示す。図１の一例においては、システム１００が、例えば、デジタルコンテンツアイテム（例えば、電子ブック）及びその他のリソースを受け取る目的でネットワークサービス１２０と通信し、ネットワークサービス１２０を利用するエンドユーザデバイス（例えば、電子リーダデバイス１１０）を含む。一部の実施形態によれば、システム１００は、ネットワークサービス１２０にアクセスし、ネットワークサービス１２０を利用するようにエンドユーザデバイスを構成する目的で電子リーダデバイス１１０の近くで再生され得る音響構成ファイル１０２を生成することができる。一部の変更形態においては、システム１００は、ネットワークサービス１２０から音響構成ファイル１０２を受信し、電子リーダデバイス１１０に十分近いところで音響構成ファイル１０２を再生する中間デバイスとして働く中間コンピューティングデバイス（例えば、モバイルコンピューティングデバイス１５０）も含む。さらに、その他の変更形態において、モバイルコンピューティングデバイス１５０は、そのデバイスで取得された構成情報を使用して音響構成ファイル１０２の少なくとも一部を生成する可能性がある。
【００１２】
[0018]ネットワークサービス１２０は、コンピューティングデバイスにインストールされる１つ又は複数のアプリケーションに関連してさまざまなサービスを提供する複数のサーバ及びその他のコンピューティングリソースを含む。例として、ネットワークサービス１２０は、電子リーダデバイス１１０上の電子ブックアプリケーションと通信する電子ブックサービスを提供する可能性がある。ネットワークサービス１２０を通じて提供される電子ブックサービスは、例えば、電子ブックが販売、共有、ダウンロード、及び／又は記憶されるサービスを含み得る。
【００１３】
[0019]電子リーダデバイス１１０は、アプリケーション及びアプリケーションリソース（例えば、電子ブック、メディアファイル、文書）が与えられ、消費され得る任意のコンピューティングデバイスに対応する可能性がある。例えば、電子リーダデバイス１１０は、例えば、タブレット、電話通信／メッセージングデバイス（例えば、スマートフォン）、又は可搬型コンピューティングデバイスに対応する可能性がある。１つの実装において、例えば、電子リーダデバイス１１０は、デバイスをネットワークサービス１２０にリンクし、サービスを通じて提供される電子ブックが見られ、消費されることを可能にする電子リーダアプリケーションを実行することができる。別の実装において、電子リーダデバイス１１０は、ネットワークサービス１２０からファイル又はストリーミングデータを受信するメディア再生又はストリーミングアプリケーションを実行することができる。本明細書において説明される例において、電子リーダデバイス１１０は、音響構成ファイル１０２の再生によって生成された音を受け取るための音響入力構成要素も含む。音響入力構成要素は、汎用の多目的マイクロホンに対応する可能性がある。
【００１４】
[0020]例として、電子リーダデバイス１１０は、電子コンテンツ（例えば、電子ブック）を読むなどの特定のアプリケーションの活動を最適化するためのハードウェア及びソフトウェアを備える可能性がある。例えば、電子リーダデバイス１１０は、変更形態があり得るが、タブレットのようなフォームファクタを有する可能性がある。場合によっては、電子リーダデバイス１１０は、Ｅインクディスプレイを有する可能性もある。
【００１５】
[0021]モバイルコンピューティングデバイス１５０が中間デバイスとして使用される変更形態においては、モバイルコンピューティングデバイス１５０は、例えば、タブレット、ハンドセット、又は電話通信／メッセージングデバイス（例えば、スマートフォン）若しくは可搬型コンピューティングデバイスに対応する可能性がある。モバイルコンピューティングデバイス１５０は、例えば、ネットワーク接続性を確立するためのリソースと、メッセージを受信するか、又はその他の方法でネットワークサービス１２０と通信する能力とを含み得る。モバイルコンピューティングデバイス１５０は、符号化された近接場音響信号を電子リーダデバイス１１０に出力するための音響出力構成要素を備える可能性がある。一部の変更形態において、音響出力構成要素は、音楽又はその他の音声コンテンツを出力するために通常使用される汎用の多目的スピーカに対応する可能性がある。
【００１６】
[0022]さらに詳細には、ネットワークサービス１２０は、デバイスインターフェース１２８及び音響インターフェース１３８を含み得る。デバイスインターフェース１２８は、サービスにアクセスする個々のデバイスと通信する。リソースの中でもとりわけ、ネットワークサービス１２０は、リソース記憶部１２２及びユーザアカウント記憶部１２４を含み得る。ユーザアカウント記憶部１２４は、電子リーダデバイス１１０をユーザ及びアカウント１２５と関連付けることができる。アカウント１２５は、リソース記憶部１２２に記憶される可能性がある１つ又は複数のアプリケーションリソース（例えば、電子ブック）にも関連付けられ得る。さらに説明されるように、ユーザアカウント記憶部１２４は、所与のアカウントのために購入されたか又は消費に利用できるようにされたリソースを特定するための、個々のアカウント１２５に関するメタデータを保有することができる。電子リーダデバイス１１０は、ユーザアカウント１２５に関連付けられる可能性があり、複数のデバイスが、同じアカウントに関連付けられる可能性がある。以下でより詳細に説明されるように、電子リーダデバイス１１０は、購入されるか、又はその他の方法で電子リーダデバイス１１０のユーザに利用可能にされるリソース（例えば、電子ブック）を記憶し、ユーザアカウント１２５のために購入されたが、特定のコンピューティングデバイスに記憶されない電子ブック及びその他のデジタルコンテンツアイテムをアーカイブすることができる。
【００１７】
[0023]ネットワークサービス１２０の音響インターフェース１３８は、電子リーダデバイス１１０のための音響構成ファイル１０２を生成するように動作する。１つの実装において、デバイスインターフェース１２８は、電子リーダデバイス１１０の識別子を取得し、識別子に関連するアカウント１２５を（もしあれば）特定する。アカウント１２５に関して、１組の構成パラメータ１２１が取得される可能性がある。１組の構成パラメータ１２１は、例えば、アカウント識別子、特定されたアカウントのログイン及びパスワード、並びに／又はアカウントに関連する支払い情報に対応する可能性がある。変更形態において、１組の構成パラメータ１２１は、例えば、ユーザのプリファレンス、ユーザアカウント若しくはそのアカウントのデバイスの設定、及び／又はユーザがダウンロードしたか若しくはダウンロードする許可を得ているリソース（例えば、電子ブック）の識別情報も含む可能性がある。音響インターフェース１３８は、１組の構成パラメータ１２１を音響データに符号化し、次いで、音響データを音響構成ファイル１０２としてまとめる。
【００１８】
[0024]１つの実装において、構成パラメータは、約１８ｋＨｚなど、可聴周波数範囲（１０Ｈｚ＜ｆｓ＜２２．０５ｋＨｚ）として埋め込まれる可能性がある。変更形態において、構成パラメータは、帯域外周波数範囲（１００ｋＨｚ＞ｆｓ＞２２．０５ｋＨｚ）として埋め込まれる可能性がある。音響構成ファイルは、音楽又は音声（例えば、メッセージ又は命令）などの音声コンテンツをさらに含む可能性がある。音響構成ファイル１０２が帯域外の範囲で与えられる音声コンテンツを含むとき、構成パラメータは、音声構成ファイルを人が聞くことを妨げる追加の音声の雑音なしに伝達され得る。
【００１９】
[0025]複数の種類の符号化技術が、音響構成ファイルに構成パラメータなどの情報を埋め込むために使用され得る。特に、構成パラメータは、スペクトル拡散技術及び／又は電気的ウォーターマーク技術を使用して音声データとして符号化され得る。例えば、１つの実装においては、直交周波数分割多重化（ＯＦＤＭ）によって提供されるような変調技術が使用される可能性がある。変更形態において、符号化方式は、データ暗号化規格（「ＤＥＳ」）及びＲｉｖｅｓｔ、Ｓｈａｍｉｒ、Ａｄｌｅｍａｎ（「ＲＳＡ」）符号化を使用する技術を含むデジタルウォーターマーク技術によって提供される可能性がある。
【００２０】
[0026]ネットワークサービス１２０は、（例えば、ユーザアカウント１２５にリンクされた）音響構成ファイル１０２を記憶するか、又は代替的に、指定された送信先に音響構成ファイル１０２を記憶及び／若しくは転送する可能性がある。例えば、音響構成ファイル１０２が生成されると、ファイルは、電子リーダデバイス１１０のアカウント１２５に関連する電子メールアドレス又はその他のネットワークロケーションにメッセージ送信されるか又はその他の方法で伝達され得る。
【００２１】
[0027]転送されると、音響構成ファイル１０２は、電子リーダデバイス１１０を構成する目的でそのデバイスの近くで再生される可能性がある。特に、電子リーダデバイス１１０は、１組の構成パラメータ１２１を利用して、例えば、ネットワークサービス１２０にアクセスし、ネットワークサービス１２０を利用するように構成される可能性がある。例えば、以下でより詳細に説明されるように、電子リーダデバイス１１０は、１組の構成パラメータ１２１を検出し、処理するために、音響構成ファイル１０２の再生により受信された音響信号を処理する可能性がある。構成されると、電子リーダデバイス１１０は、１組の構成パラメータ１２１を利用して、ネットワークサービス１２０にアクセスし、ネットワークサービス１２０を利用することができる。
【００２２】
[0028]一部の実施形態によれば、音響構成ファイルは、音楽ファイル又は音声ファイルの形態で提供される可能性がある。このように、ユーザは、モバイルコンピューティングデバイス１５０で音響構成ファイルを出力するとき、音声コンテンツを聞くことができる。これは、音響信号出力が電子ブックデバイス１１０によってさらに検出され、構成パラメータに関して処理されながら、ユーザが音楽又は音声メッセージ（例えば、ネットワークサービス１２０からの通知メッセージ）を聞くことを可能にする。
【００２３】
[0029]変更形態においては、構成パラメータ１２１は、例えば、診断又は修正プロセス（例えば、デバッグ）を実行するように電子リーダデバイス１１０をトリガする目的で電子リーダデバイス１１０に与えられる可能性がある。別の変更形態として、データセット及びプログラムのコードが、診断又は修正プロセスを容易にするために電子リーダデバイス１１０にシグナリングされる可能性がある。
【００２４】
[0030]一態様によれば、電子リーダデバイス１１０は、サービスインターフェース１０８及び音響インターフェース１１８に対応するプログラムの論理を含む。サービスインターフェース１０８は、ネットワークサービス１２０と通信し、そのデバイスをネットワークサービス１２０にリンクすることができる。音響インターフェース１１８は、音響信号に埋め込まれている情報アイテムを検出する目的で、電子リーダデバイス１１０のマイクロホンを通じて受信された音響信号を処理することができる。図１の例において、電子リーダデバイス１１０は、構成パラメータ１２１に対応する情報アイテムを特定する。サービスインターフェース１０８は、電子リーダデバイス１１０をネットワークサービス１２０にリンクするか又はその他の方法で接続するために構成パラメータ１２１を利用することができる。例として、構成パラメータ１２１は、ネットワークサービス１２０と通信し、ネットワークサービス１２０にアクセスするときに、エンドユーザデバイス１１０のサービスインターフェース１０８がアカウント識別子、ログイン、パスワード、及び／又はその他のパラメータをプログラムによって指定することを可能にすることができる。
【００２５】
[0031]一部の変更形態において、モバイルコンピューティングデバイス１５０は、音響構成ファイル１０２を受信し、次いで、電子リーダデバイス１１０の近くで音響構成ファイル１０２を再生する中間デバイスとして働く。１つの実装において、モバイルコンピューティングデバイス１５０は、ネットワークサービス１２０と通信するためのサービスインターフェース１６８を含み得る。モバイルコンピューティングデバイス１５０は、サービスインターフェース１６８を介してネットワークサービス１２０から音響構成ファイル１０２を受信することができる。変更形態においては、音響構成ファイル１０２は、モバイルコンピューティングデバイス１５０にインストールされた電子メールプログラムなどのメッセージングインターフェースを通じて受信される可能性がある。音響構成ファイル１０２が受信されると、音響構成ファイル１０２の再生がユーザによって開始され得る。モバイルコンピューティングデバイス１５０は、結果として生じる音響信号が電子リーダデバイス１１０のマイクロホンによって検出可能であるように電子リーダデバイス１１０の十分近くに位置付けられる可能性がある。
【００２６】
[0032]一部の実施形態において、モバイルコンピューティングデバイス１５０は、音響構成ファイル１０２に含めるための追加の音響データを生成する可能性がある。１つの実装において、モバイルコンピューティングデバイス１５０は、音響インターフェース１５８を含む。モバイルコンピューティングデバイス１５０は、電子リーダデバイス１１０を構成する目的で追加の情報アイテムを取得するように動作する可能性があり、そして、音響インターフェース１５８が、決定された情報を符号化する追加の音響データを生成する。モバイルコンピューティングデバイス１５０は、例えば、ネットワークサービスインターフェース１６８を使用してネットワークサービス１２０から追加の情報アイテムを決定する可能性がある。追加又は変更として、モバイルコンピューティングデバイス１５０は、ユーザ入力から追加の情報アイテムを決定する可能性がある。さらに、モバイルコンピューティングデバイス１５０は、例えば、ローカルのコンピューティング環境のパラメータ（例えば、ネットワーク設定）及びその他の情報に関する情報アイテムをプログラムによって決定するプロセスを実装する可能性がある。このように、モバイルコンピューティングデバイス１５０は、音響インターフェース１５８を利用して、音響構成ファイル１０２を付加するか、又は音響構成ファイル１０２をモバイルコンピューティングデバイス１５０で決定された追加の音響データで増強することができる。
【００２７】
[0033]さらに、図１の例は音響構成ファイル１０２がネットワークサービス１２０によって生成される実施形態を示すが、変更形態は、モバイルコンピューティングデバイス１５０が音響構成ファイル１０２のソース（又は部分的なソース）として働くものと規定する。特に、モバイルコンピューティングデバイス１５０は、ネットワークサービス１２０にアクセスする目的で電子リーダデバイス１１０によって必要とされる構成パラメータに対応する情報アイテムを記憶する可能性がある。例えば、モバイルコンピューティングデバイス１５０は、電子リーダデバイス１１０と同じアカウントにリンクされ、したがって、ネットワークサービス１２０にアクセスするために必要とされる同じログイン及びパスワード資格情報（ｃｒｅｄｅｎｔｉａｌ）を有する可能性がある。この情報が、音響構成ファイル１０２に組み込まれる可能性がある。さらに、モバイルコンピューティングデバイス１５０は、異なるソースから情報アイテムを取り出すステップを実行する可能性がある。例えば、モバイルコンピューティングデバイス１５０は、サービスインターフェース１６８を使用してネットワークサービス１２０から構成パラメータ１２１に対応する情報アイテムを取り出す可能性がある。加えて、モバイルコンピューティングデバイス１５０は、ユーザ入力から、又はネットワーク設定などのさまざまな種類の情報アイテムを検出するプログラムのプロセスから情報を取得する可能性がある。情報アイテムが決定されると、モバイルコンピューティングデバイス１５０は、電子リーダデバイス１１０に出力するための音響構成ファイル１０２を生成することができる。
【００２８】
（[0034]ハードウェアの説明）
[0035]図２は、本明細書において説明される１つ又は複数の実施形態で使用するための中間コンピューティングデバイスの例を示す。図２の一例において、中間コンピューティングデバイスは、例えば、図１の例によってやはり示されたようなモバイルコンピューティングデバイスに対応する可能性がある。図２を参照すると、モバイルコンピューティングデバイス２００は、プロセッサ２１０、ネットワークインターフェース２２０、ディスプレイ２３０、１つ又は複数の入力メカニズム２４０、及びメモリ２５０を含む。モバイルコンピューティングデバイス２００は、マイクロホン２２２及びスピーカ２２４も含む可能性がある。マイクロホン２２２又はスピーカ２２４のそれぞれは、汎用の多目的構成要素に対応する可能性がある。例えば、マイクロホン２２２又はスピーカ２２４のそれぞれは、音楽及び／又は音声を入力／出力するために使用される音響スペクトルを含む多種多様な音響スペクトルの音を受信又は出力するように製造される「既製の（ｏｆｆ−ｔｈｅ−ｓｈｅｌｆ）」構成要素である可能性がある。
【００２９】
[0036]一部の実装において、プロセッサ２１０は、ネットワークインターフェース２２０を利用してネットワークサービス１２０（図１参照）と通信する。より詳細には、モバイルコンピューティングデバイス２００は、さまざまな種類のリソース（例えば、電子ブックなどのデジタルコンテンツアイテム、構成ファイル、アカウント情報）を受信し、情報（例えば、ユーザアカウント情報、サービス要求など）を与えるためにネットワークサービス１２０にアクセスすることができる。例えば、モバイルコンピューティングデバイス２００は、ユーザがネットワークサービス１２０から購入するか又はそうでなければダウンロードすることを選択する電子ブック又はメディアファイルなどのアプリケーションリソース２２１を受信することができる。モバイルコンピューティングデバイス２００にダウンロードされるアプリケーションリソース２２１は、メモリ２５０に記憶され得る。
【００３０】
[0037]一部の実装において、ディスプレイ２３０は、例えば、プロセッサ２１０から生成されたコンテンツを提供するために照光する液晶ディスプレイ（ＬＣＤ）又は発光ダイオード（ＬＥＤ）ディスプレイに対応する可能性がある。一部の変更形態において、ディスプレイ２３０は、タッチ感知式である可能性がある。
【００３１】
[0038]一部の実施形態によれば、メモリ２５０は、符号化された音響出力２５３を生成するための論理に対応する命令を記憶する。中間デバイスとして、モバイルコンピューティングデバイス２００は、例えば、ネットワークサービス１２０から音響構成ファイル１０２を受信することができる。プロセッサ２１０は、ネットワークインターフェース２２０を通じて（例えば、電子メールによって）受信された音響構成ファイル１０２を再生して出力音響信号２０３を生成することができる。音響構成ファイル１０２の再生は、エンドユーザデバイス１１０のマイクロホンによる音響信号２０３の検出を可能にするためにエンドユーザデバイス１１０の十分近くで実行され得る。
【００３２】
[0039]一部の変更形態は、音響出力論理２５３を利用してモバイルコンピューティングデバイス１５０で得られる情報アイテムを含む符号化された音響信号を生成するためのプロセッサ２１０を提供する。情報アイテムは、例えば、ネットワークサービス１２０から、又は代替的にユーザが入力メカニズム２４０に入力を与える（例えば、ユーザがパスワード又はログイン情報などを与える）ことから決定される可能性がある。加えて、一部の構成パラメータ又は情報アイテムは、モバイルコンピューティングデバイス２００のリソースからプログラムによって決定される可能性がある。例として、プログラムによって決定される情報アイテムは、ローカルネットワーク内からネットワーク接続性を得るためにあらゆるコンピューティングデバイスが必要とする可能性があるローカルネットワーク設定を含む可能性がある。決定される情報アイテムは、音響出力論理２５３を使用して出力音響信号２０３に符号化され得る。図１の例で説明されたように、モバイルコンピューティングデバイス２００は、出力音響信号２０３がスピーカ２２４から伝達され、電子リーダデバイスのマイクロホンによって検出され得るように電子リーダデバイス１１０の近くに位置付けられる可能性がある。
【００３３】
[0040]加えて、一部の変更形態において、モバイルコンピューティングデバイス２００は、マイクロホン２２２を介して電子リーダデバイス１１０から入力音響信号２３１を受信する可能性がある。モバイルコンピューティングデバイス２００は、入力音響信号２３１を、その音響入力信号２３１を別のコンピュータ又はロケーション（例えば、ネットワークサービス１２０）に伝達する目的でメモリ２５０にファイルとして記憶することができる。一部の変更形態において、プロセッサ２１０は、入力音響信号２３１を解釈するための音響解釈論理を実装する可能性がある。そのような実装において、プロセッサ２１０は、例えば、入力音響信号２３１から決定された復号された情報を表すデータファイル又はセットをメモリ２５０に記憶する可能性がある。
【００３４】
（[0041]中間デバイスのための音響インターフェース）
[0042]図３は、エンドユーザデバイスを構成する音響出力信号を生成する目的で中間デバイスによって音響インターフェースが実装され得る実施形態を示す。図１の例を参照すると、音響インターフェース３００は、モバイルコンピューティングデバイス１５０によって実装される可能性がある（例えば、音響インターフェース１５８参照）。したがって、音響インターフェース３００の動作環境における例示を目的として図１の要素に対する参照がなされる可能性がある。
【００３５】
[0043]一実施形態において、音響インターフェース３００は、データ獲得サブシステム３１０、データ／音声変換構成要素３２０、データパッケージャ（ｄａｔａ  ｐａｃｋａｇｅｒ）３３０、及び再生構成要素３４０を含む。データ獲得サブシステム３１０は、ネットワークサービスによるアカウント情報、ローカルのコンピューティング環境の情報、及び／又はユーザのプリファレンスなどのさまざまな種類の情報を得るためのプロセスを提供する。より詳細には、データ獲得サブシステム３１０は、１つのローカル決定プロセス（又は複数のローカル決定プロセス）３１２、取得プロセス３１４、及びネットワークサービスインターフェース３１６に対応する１つ又は複数の構成要素を含み得る。このように、データ獲得サブシステム３１０は、実装に応じて、ローカルリソース及び／又はネットワークリソースを含む１つ又は複数のソースから構成情報３１５を得ることができる。
【００３６】
[0044]ローカル決定プロセス３１２は、ユーザ、及び／又はローカルの動作環境又はネットワーク環境から情報を決定する１つ又は複数のプロセスを含み得る。例えば、ローカル決定プロセス３１２は、所与の時期に特定の環境を前提としてローカルネットワークに関するネットワーク設定を取得する可能性がある。ネットワーク設定は、例えば、ローカルネットワークの識別子（例えば、ＳＳＩＤ）及び／又はローカルネットワークにアクセスするための暗号化鍵若しくはパスワードを含み得る。ローカル決定プロセス３１２は、ネットワークサービス１２０に関するアカウント情報（ログイン及びパスワードなど）、ネットワークサービス１２０からリソースを購入するための支払い情報、ネットワーク設定、並びに／又はプリファレンス（例えば、エンドユーザデバイス１１０に関する所望のデバイスの設定）などのその他の情報などの情報をユーザに入力させるためのプロンプトを実装する可能性もある。
【００３７】
[0045]取得プロセス３１４は、ネットワークサービス１２０、又は代替的にその他のネットワークサービス若しくはウェブサイトを含むさまざまなアカウントソース（ａｃｃｏｕｎｔ  ｓｏｕｒｃｅ）からアカウント情報を取り出すプロセスを実装することができる。例えば、ユーザが、所望のウェブサイト、及びそのようなウェブサイトに関して保有されるアカウント情報を指定するための入力を（例えば、ローカル決定プロセス３１２を通じて）与える可能性がある。１つの実装において、取得プロセス３１４は、エンドユーザデバイス１１０に関連するアカウント１２５によって保有されるアカウント情報アイテム及びその他の情報アイテムを取り出すためにネットワークサービス１２０にアクセスする可能性がある。この情報は、ログイン及びパスワードと、例えば、ユーザのプリファレンス又はその他の情報とを含み得る。変更形態において、取得プロセス３１４は、ネットワークサービス１２０にアクセスするための情報アイテム及びその他の構成パラメータを取得するために、ローカルにインストールされたアプリケーションによって提供されるようなローカルに実装されたインターフェースプロセス３１６を利用する可能性がある。例えば、図１を参照すると、モバイルコンピューティングデバイス１５０が、そのデバイスをネットワークサービス１２０にリンクするアプリケーションを実行する可能性がある。ローカルに実装されたインターフェースプロセス３１６は、ネットワークサービス１２０にアクセスするための構成パラメータを決定するためにそのようなアプリケーションにアクセスすることができる。
【００３８】
[0046]データ獲得サブシステム３１０は、データ／音声変換構成要素３２０に構成情報３１５を与えることができる。データ／音声変換構成要素３２０は、ＯＦＤＭ又はスペクトル拡散によって提供されるような符号化方式に従って構成情報３１５を音声データ３１７に変換する。１つの実装において、データ／音声変換構成要素３２０は、構成情報３１５に対応する情報のバイトを表すデータのフレームを生成する。音声データ３１７は、構成情報３１５と、より詳細には、アカウント情報から特定された構成パラメータとを表すように符号化され得る。
【００３９】
[0047]データパッケージャ３３０は、データ３１９をまとめるために音声データ３１７を処理する。特に、まとめられる音響データ３１９は、音響信号に埋め込まれた個々のフレームが情報のビットを運ぶように所定のフォーマット及びプロトコルに従って構築され得る。データパッケージャは、任意で、まとめられるデータ３１９に音声コンテンツ又は音楽などのコンテンツを組み込むことができる。音響構成ファイル３２２が、まとめられた音響データ３１９を用いて生成及び／又は保守される可能性がある。
【００４０】
[0048]再生構成要素３４０は、音響構成ファイル３２２からのデータを再生することができる。特に、再生構成要素３４０は、図１でモバイルコンピューティングデバイス１５０によって示されたような中間コンピューティングデバイスのスピーカ３６０を通じて音響信号を出力することができる。１つの実装において、再生構成要素３４０は、音響構成ファイル３２２からのデータを使用して（例えば、約２２．０５ｋＨｚ以上の）不可聴音響信号を生成する。スピーカ３６０がエンドユーザデバイスのごく近くに位置付けられるとき、スピーカからの音響信号出力が、構成情報３１５に対応する構成パラメータを決定するために検出され、処理され得る。
【００４１】
[0049]一部の実装において、モバイルコンピューティングデバイス１５０は、例えば、ネットワークサービス１２０から音響構成ファイル３２２を受信する。例えば、中間コンピューティングデバイスのネットワークインターフェース３１８が、音響構成ファイル３２２を受信し、記憶する可能性がある。モバイルコンピューティングデバイス１５０は、中間コンピューティングデバイスにおいてローカルで得られた情報を使用して音響構成ファイル３２２を付加又は再構成する可能性がある。例えば、１つ又は複数のローカル決定プロセス３１２は、ネットワークサービス１２０との接続性を電子リーダデバイス１１０が実現するために必要であるローカルネットワーク設定を得る可能性がある。
【００４２】
[0050]１つの実装において、そのような構成情報３１５に対応する音声データ３１７は、既存の音響構成ファイル３２２（例えば、ネットワークサービス１２０から受信される音響構成ファイル３２２）に付加される又は継ぎ合わされる。データパッケージャ３３０は、音響構成ファイル３２２のデータストリームを分析して情報のバイトに対応する個々のフレームを特定することができる。追加の構成データ３１５がモバイルコンピューティングデバイス１５０によって得られるとき、データ／音声変換構成要素は、対応する音響データ３１７を生成する。データパッケージャ３３０は、追加の構成情報３１５の音響データ３１７に対応するデータフレームを音響構成ファイル３２２の既存のストリームに継ぎ足す又は付加することができる。このように、ネットワークサービス１２０は、エンドユーザデバイス１１０がネットワークサービスにアクセスするために必要な構成パラメータの一部を含む音響構成ファイル３２２を提供することができる。電子リーダデバイス１１０のための構成パラメータの別の部分が、例えば、ローカルのコンピューティング環境に関するパラメータを得るプロセスを実行するモバイルコンピューティングデバイス１５０によってローカルで取得される可能性がある。
【００４３】
[0051]変更形態においては、（中間デバイスとして働く）モバイルコンピューティングデバイス１５０は、（ｉ）ユーザから受信されるユーザ入力（例えば、ユーザはログイン及びパスワードを入力する）を使用して、又は（ｉｉ）独立した接続を通じてネットワークサービス１２０にアクセスすることから構成パラメータを取得する可能性もある。そのような追加の構成パラメータも、既存の音響構成ファイル３２２に継ぎ合わされる又は付加される可能性がある。
【００４４】
（[0052]方法）
[0053]図４は、中間デバイス（例えば、モバイルコンピューティングデバイス１５０）を使用して音響構成ファイルを受信し、エンドユーザデバイス（例えば、電子リーダデバイス１１０）に対して音響構成ファイルを再生するための方法を示す。図５は、中間デバイス（例えば、モバイルコンピューティングデバイス１５０）が構成パラメータを取得し、決定された構成パラメータを、エンドユーザデバイス（例えば、電子リーダデバイス１１０）に対して再生するための音響構成ファイルに組み込むための方法を示す。図６は、中間デバイスが、ネットワークサービスから音響構成ファイルを受信し、エンドユーザデバイス（例えば、電子リーダデバイス１１０）に対して再生するための音響構成ファイルを付加又は増強するための方法を示す。図４〜図６によって示されるような例は、図１〜図５によって示されたような構成要素を用いて実装され得る。したがって、例えば、説明されるステップ又はサブステップを実行するための好適な構成要素を例示することを目的として図１の要素に対する参照がなされる可能性がある。
【００４５】
[0054]図４の例を参照すると、モバイルコンピューティングデバイス１５０が、ネットワークサービス１２０から音響構成ファイル１０２を受信する（４１０）。１つの実装においては、モバイルコンピューティングデバイス１５０が、音響構成ファイル１０２に対応する添付を含む電子メール又はその他のメッセージを開くために使用される（４１２）。変更形態において、モバイルコンピューティングデバイス１５０は、そのモバイルコンピューティングデバイス１５０がネットワークサービス１２０と直接通信することを可能にするアプリケーション又はその他のインターフェースを動作させることができる。モバイルコンピューティングデバイス１５０は、そのようなインターフェースを使用してネットワークサービスから音響構成ファイル１０２を受信することができる（４１４）。
【００４６】
[0055]モバイルコンピューティングデバイス１５０は、電子リーダデバイスの近くで音響構成ファイル１０２を再生することができる（４２０）。電子リーダデバイス１１０に対するモバイルコンピューティングデバイス１５０の近さは、音響構成ファイル１０２から生成された結果として生じる音響信号の特性から決定され得る。１つの実装において、音響信号は、不可聴周波数（例えば、２２．０５ｋＨｚ〜１００ｋＨｚの間）にあるが、標準的なマイクロホンによって検出可能である。モバイルコンピューティングデバイス１５０と電子リーダデバイス１１０との間の近さは、音響信号の振幅と、選択された周波数及び存在する環境雑音のレベルとに部分的に基づく可能性がある。１つの実装において、モバイルコンピューティングデバイス１５０は、電子リーダデバイス１１０のマイクロホンの１０フィート以内に位置付けられる。変更形態において、モバイルコンピューティングデバイス１５０は、音響構成ファイル１０２の再生による音響信号を検出可能とするために、電子リーダデバイス１１０のマイクロホンの１フィート以内、及びより詳細には数インチ以内に位置付けられる。
【００４７】
[0056]図５の例を参照すると、（中間デバイスとして働く）モバイルコンピューティングデバイス１５０が、アカウント又はエンドユーザデバイス（例えば、電子リーダデバイス１１０）に関連する情報を決定する（５１０）。モバイルコンピューティングデバイス１５０は、複数のソースから情報を決定する可能性がある。１つの実装においては、モバイルコンピューティングデバイス１５０が、ネットワークサービス１２０から情報を取得することができる（５１２）。例えば、モバイルコンピューティングデバイス１５０は、電子リーダデバイス１１０にリンクされるべきアカウントに関連付けられる可能性がある。モバイルコンピューティングデバイス１５０は、アカウント情報、特に、電子リーダデバイス１１０に関連する情報アイテムを決定するためにネットワークサービス１２０にアクセスすることができる。変更形態として、モバイルコンピューティングデバイス１５０は、ユーザから情報を決定する可能性がある（５１４）。例えば、モバイルコンピューティングデバイス１５０は、ネットワーク設定、デバイスのプリファレンス、ライブラリ設定に関連する情報、及びネットワークサービス１２０に関するアカウント情報などの情報アイテムを入力するようにユーザに促す可能性がある。
【００４８】
[0057]１組の構成パラメータが、情報に基づいて決定され得る（５２０）。特に、ユーザによって与えられた情報アイテムは、構文解析され、次いで、関連するプログラムのエンティティ又はインターフェースによって使用可能である形式を有するようにフォーマット化及び／又は構造化される可能性がある。
【００４９】
[0058]モバイルコンピューティングデバイス１５０は、構成パラメータを埋め込む音響構成ファイル１０２を生成することができる（５３０）。例えば、音響構成ファイル１０２は、（ｉ）ネットワークサービス１２０にアクセスするためのパスワード及びログイン情報、（ｉｉ）好ましい若しくは望ましいデバイスの設定、並びに／又は（ｉｉｉ）モバイルコンピューティングデバイス１５０が利用可能な１つ又は複数のソース（例えば、ネットワークサービス、ユーザ）から得られるその他の情報を埋め込むことができる。音響構成ファイル１０２が決定されると、モバイルコンピューティングデバイス１５０は、電子リーダデバイス１１０の近くで音響構成ファイルを再生することができる（５４０）。
【００５０】
[0059]図６の例を参照すると、実施形態が、中間デバイス（例えば、モバイルコンピューティングデバイス１５０）がネットワークサービス１２０から第１の音響構成ファイルを受信すると規定する（６１０）。第１の音響構成ファイル１０２は、構成パラメータの第１の組を含み得る。例えば、構成パラメータの第１の組は、ネットワークサービス１２０にアクセスするために電子リーダデバイスが利用する必要がある可能性があるパラメータに関連する可能性がある。
【００５１】
[0060]モバイルコンピューティングデバイス１５０は、構成パラメータの第２の組も決定する可能性がある（６２０）。構成パラメータの第２の組は、移動体コンピューティングデバイス１５０のローカルのプロセス及びリソースから決定される可能性がある。例えば、１つの実装において、モバイルコンピューティングデバイス１５０は、ローカルネットワークにアクセスし、ローカルネットワークを利用するための設定を決定することができる（６２２）。別の例として、モバイルコンピューティングデバイス１５０は、クレジットカード情報、デバイスのプリファレンスなどのさまざまな種類の入力をユーザに入力させる一連のプロンプトを出す可能性がある（６２４）。
【００５２】
[0061]モバイルコンピューティングデバイス１５０は、構成パラメータの第１の組と第２の組との両方を埋め込む第２の音響構成ファイルを生成することができる（６３０）。一実施形態において、モバイルコンピューティングデバイス１５０は、第１の音響構成ファイル１０２を処理して構成パラメータの第１の組を決定し、次いで、第２の音響構成ファイルを生成して第１の音響構成ファイルを置き換える。
【００５３】
[0062]変更形態として、モバイルコンピューティングデバイス１５０は、構成パラメータの第２の組のための音響構成ファイルを生成し、次いで、第２の音響構成ファイルを第１の音響構成ファイルに付加する又は継ぎ合わせる可能性がある。例えば、第１の音響構成ファイルのデータストリームが、情報アイテムを表すデータフレームを特定するために分析される可能性がある。第２の構成ファイルの音響データのフレームは、第１の音響構成ファイルのフレームの終わり又は間に継ぎ合わされる可能性がある。
【００５４】
（[0063]使用例）
[0064]実施形態は、時折、新しいデバイス（例えば、電子リーダデバイス１１０）の購入が、特定のユーザの継続使用のためにそのようなデバイスを確立することに関して問題をはらんだ段階になり得ることを認める。電子リーダデバイス１１０に関して、例えば、そのようなデバイスは、電子ブックがダウンロードされ得るネットワークサービスにリンクされることが多い。さらに、そのようなデバイスの機能は、電子ブック（又はその他のデジタルコンテンツアイテム）がダウンロード又は購入され得るネットワークサービスにデバイスがアクセスすることができない場合、大幅に制限される。したがって、例えば、ユーザがネットワーク接続性を確立すること又は新しいアカウントを確立することができないと、新しいデバイスのユーザのこれまでにない（ｏｕｔ−ｏｆ−ｂｏｘ）楽しみを大きく妨げる可能性がある。反対に、そのようなユーザが助けを求めるとき、通常の手法は問題がある可能性がある場合がある。ユーザがネットワークにアクセスできない及び／又は必要なネットワークサービスにアクセスできない場合、遠隔でデバイスのトラブルシューティングを行う製造業者又はプロバイダの能力もまた制限される。
【００５５】
[0065]一方、本明細書に記載の例は、とりわけ有益なことに、概して任意のユーザが利用できるリソースを使用してネットワーク接続性を実現する及び／又はネットワークサービスにアクセスするための構成プロセスをユーザが実行することを可能にする。加えて、ユーザの必要とされる行為が、より通常の手法よりもずっと実行が容易である可能性がある。通常の手法では、例えば、ユーザは、必要とされることをほとんど知らない可能性があるときに、さまざまなネットワーク設定及び／又はアカウント情報を入力しなければならないことがある。
【００５６】
[0066]一部の実施形態において、ユーザは、ヘルプセンター（例えば、技術支援電話窓口）に電話を掛け、それから、ヘルプセンターに電子メールアドレスを教える可能性がある。ヘルプセンターは、エンドユーザデバイスのための構成パラメータを決定し、次いで、音響構成ファイル１０２をプログラムによって生成し、音響構成ファイルをユーザに電子メールとして送信する可能性がある。ユーザは、電子メールにアクセスし、音響構成ファイル１０２を再生するための中間デバイスを選択することができる。例えば、ユーザは、モバイルコンピューティングデバイス１５０のスピーカに隣接して（又は近くに）電子リーダデバイス１１０のマイクロホンを置くことができる。次いで、モバイルコンピューティングデバイス１５０が、電子リーダデバイス１１０のための音響信号を生成するために添付を再生することができる。音響送信を受信すると、電子リーダデバイス１１０は、ユーザがネットワークサービスにアクセスすることができるように、ネットワークサービスのログイン及びパスワードなどの必要な情報でその電子リーダデバイス１１０自体を構成することができる。
【００５７】
[0067]加えて、一部の変更形態において、電子リーダデバイス１１０は、ヘルプセンターがトラブルシューティングを行うことを支援するために診断又は修正プロセスを実施する可能性がある。例えば、モバイルコンピューティングデバイス１５０は、診断プロセスを実行するように電子リーダをトリガするデータセットを提供する音響信号を出力する可能性がある。さらに、電子リーダデバイス１１０は、ネットワークサービス１２０に電話のチャネルを通じて伝達され得る音響応答を返す可能性がある。電子リーダデバイス１１０から返される音響送信は、診断又は修正プロセスの結果に関連する情報を含む可能性がある。このように、電子リーダデバイス１１０は、音響信号の送信によって構成、診断、又は修正される可能性がある。
【００５８】
[0068]別の例示として、ネットワークサービス１２０から音響送信を生成するのではなく、ネットワークサービス１２０が、音響構成ファイル１０２をメッセージへの添付としてまとめる可能性がある。メッセージは、ユーザによって与えられた電子メールアドレスに伝達され得る。ユーザは、電子リーダデバイス１１０の近くで音響構成ファイル１０２を出力するようにそれらのユーザのモバイルハンドセット（例えば、モバイルコンピューティングデバイス１５０）などの中間デバイスを操作する可能性がある。そして今度は、電子リーダデバイス１１０が、音響送信に埋め込まれた構成パラメータ及びその他の情報アイテムによってその電子リーダデバイス１１０自体を構成する可能性がある。
【００５９】
（[0069]代替形態又は変更形態）
[0070]代替形態又は変更形態として、本明細書においてさまざまな例で説明されたような音声構成ファイルは、メディアファイルの形態で提供される可能性がある。したがって、例えば、オーディオ−ビジュアルコンテンツが、例えば、エンドデバイスが検出可能である音響構成パラメータを含む可能性がある。ユーザは、検出可能な音声信号内の構成パラメータを電子リーダデバイスに検出及び処理させながら、同時に、例えば、モバイルコンピューティングデバイス１５０で音声／ビデオコンテンツを受け取るためにメディアファイルを再生することができる。一部のその他の例で述べられたように、音声信号の符号化は、可聴範囲の周波数か又は不可聴（ｏｕｔ−ｏｆ−ａｕｄｉｏ）範囲の周波数かのどちらかを使用する可能性がある。
【００６０】
[0071]変更形態において、モバイルコンピューティングデバイス１５０は、視覚的な符号化（ｖｉｓｕａｌ  ｅｎｃｏｄｉｎｇ）を含むビデオコンテンツを出力する可能性がある。例えば、モバイルコンピューティングデバイス１５０のディスプレイが、視覚的な符号化を出力する可能性があり、電子リーダデバイスのカメラ構成要素が、視覚的な出力に埋め込まれたコードを検出する可能性がある。視覚的な符号化方式は、例えば、静止画像、動画、又はＱＲコードを利用する可能性がある。特に、カメラが、構成パラメータに関して処理され得る視覚的な情報を検出することができる。
【００６１】
[0072]例示的な実施形態が添付の図面を参照して本明細書において詳細に説明されたが、特定の実施形態及び詳細の変更形態は、本開示によって包含される。本明細書に記載の実施形態の範囲は請求項及びそれらの請求項の均等物によって定義されることが意図される。さらに、個別にか又は実施形態の一部としてかのどちらかで説明された特定の特徴は、その他の個別に説明された特徴又はその他の実施形態の一部と組み合わされ得ると考えられる。したがって、組み合わせについて説明していないことが、発明者（ら）がそのような組み合わせに対する権利を主張することを妨げてはならない。
【００６２】
次に、以上述べた本発明の各実施形態から抽出される技術的思想を請求項の記載形式に準じて列挙する。本発明に係る技術的思想は上位概念から下位概念まで、様々なレベルやバリエーションにより把握できるものであり、以下の記載に本発明が限定されるものではない。
（項目１）
エンドユーザデバイスを構成するように中間コンピューティングデバイスを動作させるための方法であって、前記中間コンピューティングデバイスの１つ又は複数のプロセッサによって実施され、
アカウント又は前記エンドユーザデバイスに関連する情報を決定するステップと、
決定された情報に基づいて１組の構成パラメータを決定するステップと、
前記構成パラメータを埋め込む音響構成ファイルの少なくとも一部を生成するステップと、
前記音響構成ファイルを再生して、前記構成パラメータを前記エンドユーザデバイスに運ぶ音響信号を生成するステップとを含む、方法。
（項目２）
前記音響構成ファイルを再生するステップが、前記エンドユーザデバイスのマイクロホンが前記中間コンピューティングデバイスのスピーカから十分に近い範囲内にあることを必要とする音響特性を含む前記音響信号を生成するサブステップを含む項目１に記載の方法。
（項目３）
前記音響特性が、前記エンドユーザデバイスの前記マイクロホンが前記中間コンピューティングデバイスの前記スピーカの１０フィート以内にあることを必要とする項目２に記載の方法。
（項目４）
前記アカウント又は前記エンドユーザデバイスに関連する情報を決定するステップが、
識別子をネットワークサービスに伝達するサブステップと、
前記ネットワークサービスから、前記アカウントに関連する１つ又は複数の情報アイテムを取り出すサブステップとを含む項目１に記載の方法。
（項目５）
前記アカウント又は前記エンドユーザデバイスに関連する情報を決定するステップが、前記中間コンピューティングデバイスのインターフェースを通じて前記情報の少なくとも一部を入力するようにユーザに促すサブステップを含む項目１に記載の方法。
（項目６）
前記エンドユーザデバイスがネットワークサービスと通信することを可能にするためのネットワークパラメータをプログラムによって検出するステップをさらに含み、前記音響構成ファイルの前記少なくとも一部を生成するステップが、前記ネットワークパラメータを前記音響構成ファイルに埋め込むサブステップを含む項目１に記載の方法。
（項目７）
前記ネットワークパラメータが、（ｉ）ローカルネットワークの識別子と、（ｉｉ）前記ローカルネットワークにアクセスし、前記ローカルネットワークを使用するために必要とされる情報とを含む項目６に記載の方法。
（項目８）
前記音響構成ファイルの少なくとも一部を生成するステップが、
ネットワークサービスから第１の音響構成ファイルを受信するサブステップであり、前記第１の音響構成ファイルが、構成パラメータの第１の組を含む、サブステップと、
前記中間コンピューティングデバイスで、構成パラメータの第２の組を決定するサブステップと、
前記第１の音響構成ファイルを含む第２の音響構成ファイルを生成するサブステップであり、前記第２の音響構成ファイルが、構成パラメータの前記第１の組及び構成パラメータの前記第２の組を含む、サブステップとを含む項目１に記載の方法。
（項目９）
前記第２の音響構成ファイルを生成するサブステップが、構成パラメータの前記第２の組に対応する音響データを生成し、次いで、前記第１の音響構成ファイルの音響データを前記第２の音響構成ファイルの音響データと組み合わせることを含む項目８に記載の方法。
（項目１０）
構成パラメータの前記第２の組を決定するサブステップが、前記ネットワークサービスにアクセスする際に使用するためのローカルネットワークのパラメータをプログラムによって決定することを含む項目８に記載の方法。
（項目１１）
前記ローカルネットワークのパラメータが、前記中間デバイスが接続されるローカルネットワークの識別子と、前記ローカルネットワークにアクセスするためのネットワーク鍵とを含む項目１０に記載の方法。
（項目１２）
構成パラメータの前記第２の組を決定するサブステップが、設定を特定するユーザ入力を受信することを含む項目８に記載の方法。
（項目１３）
前記第２の音響構成ファイルを生成するサブステップが、構成パラメータの前記第２の組を埋め込む音響データを前記第１の音響構成ファイルに付加することを含む項目８に記載の方法。
（項目１４）
音響構成ファイルの前記少なくとも一部を生成するステップが、音声コンテンツを前記音響構成ファイルに組み込むサブステップを含み、前記音声コンテンツが音楽又は音声メッセージのうちの少なくとも１つに対応し、前記音響構成ファイルを再生するステップが、前記構成パラメータを前記エンドユーザデバイスに音響的に送信しながら前記音声コンテンツを再生するサブステップを含む項目１に記載の方法。
（項目１５）
前記音響構成ファイルの前記少なくとも一部を生成するステップが、スペクトル拡散技術及び／又は電気的ウォーターマーク技術を使用して前記構成パラメータを符号化するサブステップを含む項目１に記載の方法。
（項目１６）
エンドユーザデバイスを構成するように中間コンピューティングデバイスを動作させるための方法であって、前記中間コンピューティングデバイスの１つ又は複数のプロセッサによって実施され、
ネットワークサービスから第１の音響構成ファイルを受信するステップであり、前記第１の音響構成ファイルが、構成パラメータの第１の組を含む、ステップと、
構成パラメータの第２の組を決定するステップと、
前記第１の音響構成ファイルを含む第２の音響構成ファイルを生成するステップであり、前記第２の音響構成ファイルが、構成パラメータの前記第１の組及び構成パラメータの前記第２の組を含む、ステップとを含む、方法。
（項目１７）
前記第２の音響構成ファイルを生成するステップが、構成パラメータの前記第２の組に対応する音響データを生成し、次いで、前記第１の音響構成ファイルの音響データを構成パラメータの前記第２の組に対応する前記音響データと組み合わせるサブステップを含む項目１６に記載の方法。
（項目１８）
構成パラメータの前記第２の組を決定するステップが、前記ネットワークサービスにアクセスする際に使用するためのローカルネットワークのパラメータを決定するサブステップを含む項目１６に記載の方法。
（項目１９）
構成パラメータの前記第２の組を決定するステップが、設定を特定するユーザ入力を受信するサブステップを含む項目１６に記載の方法。
（項目２０）
前記ローカルネットワークのパラメータが、前記中間デバイスが接続されるローカルネットワークの識別子と、前記ローカルネットワークにアクセスするためのネットワーク鍵とを含む項目１８に記載の方法。
（項目２１）
前記第２の音響構成ファイルを生成するステップが、構成パラメータの前記第２の組を埋め込む音響データを前記第１の音響構成ファイルに付加するサブステップを含む項目１６に記載の方法。
（項目２２）
１組の命令を記憶するメモリリソースと、
前記１組の命令を実行して、
アカウント又はエンドユーザデバイスに関連する情報を決定し、
決定された情報に基づいて１組の構成パラメータを決定し、
前記構成パラメータを埋め込む音響構成ファイルの少なくとも一部を生成し、
前記音響構成ファイルを再生して、前記構成パラメータを前記エンドユーザデバイスに運ぶ音響信号を生成する１つ又は複数のプロセッサとを備える、コンピューティングデバイス。
【００６３】
（第２実施形態）[0010]本明細書において説明される実施形態は、エンドユーザデバイスを構成するためにエンドユーザデバイス（例えば、電子リーダデバイスなど）に音響信号の送信を行う。一部の実施形態においては、エンドユーザデバイスを構成するための構成パラメータを運ぶ音響データを構築するネットワークサービスが提供される。
【００６４】
[0011]一部の実施形態によれば、ネットワークサービスは、構成パラメータを運ぶ音響信号をエンドユーザデバイスに送信するか、又は構成パラメータを運ぶ音響信号のエンドユーザデバイスへの送信を引き起こす。エンドユーザデバイスは、音響データに埋め込まれた構成パラメータに対応する情報を検出する。エンドユーザデバイスは、エンドユーザデバイスをネットワークサービスとの通信のために構成する動作などの選択動作を実行することに関連して構成パラメータを利用する。
【００６５】
[0012]一部の実施形態によれば、音響構成ファイルは、コンテンツを含む。１つの実装において、音声構成ファイルのコンテンツは、音楽を含む。変更形態において、音声構成ファイルは、命令又はその他の通知を与えるソース（例えば、ネットワークサービス）からのメッセージなどの音声を含む。さらに、一部の変更形態において、音声構成ファイルからの音声出力は、可聴（ｉｎ−ａｕｄｉｏ）周波数（１０Ｈｚ＜ｆｓ＜２２．０５ｋＨｚ）の範囲内で与えられる。その他の変更形態において、音響構成ファイルからの音声出力は、帯域外周波数範囲（１００ｋＨｚ＞ｆｓ＞２２．０５ｋＨｚ）内で与えられる。
【００６６】
[0013]一実施形態においては、第１のコンピュータ（例えば、サーバ）が、アカウント又はエンドユーザデバイスに関連する情報を取得する。第１のコンピュータは、構成パラメータを埋め込む音響構成ファイルを生成する。構成パラメータは、アカウント又はエンドユーザデバイスに関連する情報に基づく可能性がある。音響構成ファイルは、アカウントに関連付けられている送信先に伝達され得る。加えて、音響構成ファイルは、構成パラメータをエンドユーザデバイスに運ぶ音響信号を生成するように再生可能である可能性がある。
【００６７】
[0014]別の実施形態においては、音響信号が、エンドユーザデバイスによって受信される。音響信号は、エンドユーザデバイスの多目的マイクロホンを通じて受信される可能性がある。音響信号に埋め込まれた１つ又は複数の構成パラメータが、検出される。エンドユーザデバイスが、検出された構成パラメータを使用して構成される。
【００６８】
[0015]さらに、実施形態は、第１のコンピュータを使用してエンドユーザデバイスの構成を行う。第１のコンピュータで、エンドユーザデバイスのアカウントに関連する情報が決定される。１つ又は複数の構成パラメータを音響データとして埋め込む音響構成ファイルが、生成される。音響構成ファイルは、その音響ファイルが再生されるか、又はエンドユーザデバイスのためにその他の方法で出力され得る指定された送信先に送られる。エンドユーザデバイスにおいて、音響構成ファイルが再生されることによって生成される音響信号から１つ又は複数の構成パラメータが決定される。エンドユーザデバイスは、音響信号から検出された１つ又は複数の構成パラメータに基づいて構成される。
【００６９】
[0016]本明細書において説明される１つ又は複数の実施形態は、コンピューティングデバイスによって実行される方法、技術、及び動作が、プログラムによって実行されるか、又はコンピュータによって実装される方法として実行されると規定する。プログラムによってとは、コード、又はコンピュータが実行可能な命令を使用することによってという意味である。プログラムによって実行されるステップは、自動的である可能性があり、又は自動的ではない可能性がある。
【００７０】
[0017]本明細書において説明される１つ又は複数の実施形態は、プログラムのモジュール又は構成要素を使用して実装される可能性がある。プログラムのモジュール又は構成要素は、プログラム、サブルーチン、プログラムの一部、又は１つ若しくは複数の定められたタスク若しくは機能を実行することができるソフトウェア若しくはハードウェア構成要素を含み得る。本明細書において使用されるとき、モジュール又は構成要素は、その他のモジュール又は構成要素とは独立にハードウェア構成要素上に存在する可能性がある。代替的に、モジュール又は構成要素は、その他のモジュール、プログラム、又はマシンの共有された要素又はプロセスである可能性がある。
【００７１】
[0018]さらに、本明細書において説明される１つ又は複数の実施形態は、１つ又は複数のプロセッサによって実行可能である命令を通じて実装される可能性がある。これらの命令は、コンピュータ可読媒体で運ばれる可能性がある。以下で図面によって示されるか又は説明されるマシンは、本発明の実施形態を実装するための命令が運ばれ得る及び／又は実行され得る処理リソース及びコンピュータ可読媒体の例を提供する。特に、本発明の実施形態によって示される多くのマシンは、（１つ又は複数の）プロセッサと、データ及び命令を保持するためのさまざまな形態のメモリとを含む。コンピュータ可読媒体の例は、パーソナルコンピュータ又はサーバのハードドライブなどの永続的なメモリストレージデバイスを含む。コンピュータストレージ媒体のその他の例は、ＣＤ又はＤＶＤユニット、（多くの携帯電話及び家庭用電化製品で運ばれるような）フラッシュ又は個体メモリ、並びに磁気式メモリなどの可搬型ストレージユニットを含む。コンピュータ、端末、ネットワーク対応デバイス（例えば、セル電話などのモバイルデバイス）は、すべて、プロセッサ、メモリ、及びコンピュータ可読媒体に記憶された命令を利用するマシン及びデバイスの例である。加えて、実施形態は、コンピュータプログラム、又はそのようなプログラムを運ぶことができるコンピュータが使用可能な搬送媒体の形態で実装され得る。
【００７２】
（[0019]システム及びデバイスの説明）
[0020]図７は、一実施形態による、エンドユーザデバイスが、近距離場音響信号を使用することによってネットワークサービスにアクセスするように構成されるシステムを示す。図７の一例においては、システム７００が、例えば、デジタルコンテンツ（例えば、電子ブック）及びその他のリソースを受け取る目的でネットワークサービス７２０と通信し、ネットワークサービス７２０を利用するエンドユーザデバイス（例えば、電子リーダデバイス７１０）を含む。一部の実施形態によれば、システム７００は、ネットワークサービス７２０にアクセスし、ネットワークサービス７２０を利用するようにエンドユーザデバイスを構成する目的で電子リーダデバイス７１０の近くで再生され得る音響構成ファイル７０２を生成することができる。一部の変更形態においては、システム７００は、ネットワークサービス７２０から音響構成ファイル７０２を受信し、電子リーダデバイス７１０に十分に近いときに音響構成ファイル７０２を再生する中間デバイスとして働く中間コンピューティングデバイス（例えば、モバイルコンピューティングデバイス７５０）も含む。
【００７３】
[0021]ネットワークサービス７２０は、コンピューティングデバイスにインストールされる１つ又は複数のアプリケーションに関連してさまざまなサービスを提供する複数のサーバ及びその他のコンピューティングリソースを含む可能性がある。例として、ネットワークサービス７２０は、電子リーダデバイス７１０上の電子ブックアプリケーションと通信する電子ブックサービスを提供する可能性がある。ネットワークサービス７２０を通じて提供される電子ブックサービスは、例えば、電子ブックが販売、共有、ダウンロード、及び／又は記憶されるサービスを含み得る。
【００７４】
[0022]電子リーダデバイス７１０は、アプリケーション及びアプリケーションリソース（例えば、電子ブック、メディアファイル、文書）が与えられ、消費され得る任意のコンピューティングデバイスに対応する可能性がある。例えば、電子リーダデバイス７１０は、タブレット、電話通信／メッセージングデバイス（例えば、スマートフォン）、又は可搬型コンピューティングデバイスに対応する可能性がある。１つの実装において、例えば、電子リーダデバイス７１０は、デバイスをネットワークサービス７２０にリンクし、サービスを通じて提供される電子ブックが見られ、消費されることを可能にする電子リーダアプリケーションを実行することができる。別の実装において、電子リーダデバイス７１０は、ネットワークサービス７２０からファイル又はストリーミングデータを受信するメディア再生又はストリーミングアプリケーションを実行することができる。本明細書において説明される例において、電子リーダデバイス７１０は、音響構成ファイル７０２の再生によって生成された音を受け取るための音響入力構成要素も含む。音響入力構成要素は、汎用の多目的マイクロホンに対応する可能性がある。
【００７５】
[0023]例として、電子リーダデバイス７１０は、電子コンテンツ（例えば、電子ブック）を読むなどの特定のアプリケーションの活動を最適化するためのハードウェア及びソフトウェアを備える可能性がある。例えば、電子リーダデバイス７１０は、変更形態があり得るが、タブレットのようなフォームファクタを有する可能性がある。場合によっては、電子リーダデバイス７１０は、Ｅインクディスプレイを有する可能性もある。
【００７６】
[0024]モバイルコンピューティングデバイス７５０が中間デバイスとして使用される変更形態においては、モバイルコンピューティングデバイス７５０は、タブレット、ハンドセット、又は電話通信／メッセージングデバイス（例えば、スマートフォン）若しくは可搬型コンピューティングデバイスに対応する可能性がある。モバイルコンピューティングデバイス７５０は、例えば、ネットワーク接続性を確立するためのリソースと、メッセージを受信するか、又はその他の方法でネットワークサービス７２０と通信する能力とを含み得る。モバイルコンピューティングデバイス７５０は、符号化された近距離場音響信号を電子リーダデバイス７１０に出力するための音響出力構成要素を備える可能性がある。一部の変更形態において、音響出力構成要素は、音楽又はその他の音声コンテンツを出力するためによく使用される汎用の多目的スピーカに対応する可能性がある。
【００７７】
[0025]さらに詳細には、ネットワークサービス７２０は、デバイスインターフェース７２８及び音響インターフェース７３８を含み得る。デバイスインターフェース７２８は、サービスにアクセスする個々のデバイスと通信する。リソースの中でもとりわけ、ネットワークサービス７２０は、リソース記憶部７２２及びユーザアカウント記憶部７２４を含み得る。ユーザアカウント記憶部７２４は、電子リーダデバイス７１０をユーザ及びアカウント７２５と関連付けることができる。アカウント７２５は、リソース記憶部７２２に記憶される可能性がある１つ又は複数のアプリケーションリソース（例えば、電子ブック）にも関連付けられ得る。さらに説明されるように、ユーザアカウント記憶部７２４は、所与のアカウントのために購入されたか又は消費に利用できるようにされたリソースを特定するための、個々のアカウント７２５に関するメタデータを保有することができる。電子リーダデバイス７１０は、ユーザアカウント７２５に関連付けられる可能性があり、複数のデバイスが、同じアカウントに関連付けられる可能性がある。以下でより詳細に説明されるように、電子リーダデバイス７１０は、購入されるか、又はその他の方法で電子リーダデバイス７１０のユーザに利用可能にされるリソース（例えば、電子ブック）を記憶し、ユーザアカウント７２５のために購入されたが、特定のコンピューティングデバイスに記憶されない電子ブック及びその他のデジタルコンテンツアイテムをアーカイブすることができる。
【００７８】
[0026]ネットワークサービス７２０の音響インターフェース７３８は、電子リーダデバイス７１０のための音響構成ファイル７０２を生成するように動作する。１つの実装において、デバイスインターフェース７２８は、電子リーダデバイス７１０の識別子を取得し、識別子に関連するアカウント７２５を特定する。アカウント７２５に関して、１組の構成パラメータ７２１が取得される可能性がある。１組の構成パラメータ７２１は、例えば、アカウント識別子、特定されたアカウントのログイン及びパスワード、並びに／又はアカウントに関連する支払い情報に対応する可能性がある。変更形態において、１組の構成パラメータ７２１は、例えば、ユーザのプリファレンス、ユーザアカウント若しくはそのアカウントのデバイスの設定、及び／又はユーザがダウンロードしたか若しくはダウンロードする許可を得ているリソース（例えば、電子ブック）の識別情報も含む可能性がある。音響インターフェース７３８は、１組の構成パラメータ７２１を音響データに符号化し、次いで、音響データを音響構成ファイル７０２としてまとめる。ネットワークサービス７２０は、（例えば、ユーザアカウント７２５にリンクされた）音響構成ファイル７０２を記憶するか、又は代替的に、指定された送信先に音響構成ファイル７０２を記憶及び／若しくは転送する可能性がある。例えば、音響構成ファイル７０２が生成されると、ファイルは、電子リーダデバイス７１０のアカウント７２５に関連する電子メールアドレス又はその他のネットワークロケーションにメッセージ送信されるか又はその他の方法で伝達され得る。
【００７９】
[0027]以下の例で説明されるように、音響構成ファイル７０２は、音楽又は音声（例えば、メッセージ通知）などの音声コンテンツを含む可能性がある。したがって、音響構成ファイルの再生は、音声の送信が電子リーダデバイス７１０に構成パラメータを伝達する間にユーザがコンテンツを与えられる結果となる可能性がある。
【００８０】
[0028]転送されると、音響構成ファイル７０２は、電子リーダデバイス７１０を構成する目的でそのデバイスの近くで再生される可能性がある。特に、電子リーダデバイス７１０は、１組の構成パラメータ７２１を利用して、例えば、ネットワークサービス７２０にアクセスし、ネットワークサービス７２０を利用するように構成される可能性がある。例えば、以下でより詳細に説明されるように、電子リーダデバイス７１０は、１組の構成パラメータ７２１を検出し、処理するために、音響構成ファイル７０２の再生により受信された音響信号を処理する可能性がある。構成されると、電子リーダデバイス７１０は、１組の構成パラメータ７２１を利用して、ネットワークサービス７２０にアクセスし、ネットワークサービス７２０を利用することができる。
【００８１】
[0029]変更形態においては、構成パラメータ７２１は、例えば、診断又は修正プロセス（例えば、デバッグ）を実行するように電子リーダデバイス７１０をトリガする目的で電子リーダデバイス７１０に与えられる可能性がある。別の変更形態として、データセット及びプログラムのコードが、診断又は修正プロセスを容易にするために電子リーダデバイス７１０にシグナリングされる可能性がある。
【００８２】
[0030]一態様によれば、電子リーダデバイス７１０は、サービスインターフェース７０８及び音響インターフェース７１８に対応するプログラムの論理を含む。サービスインターフェース７０８は、ネットワークサービス７２０と通信し、そのデバイスをネットワークサービス７２０にリンクすることができる。音響インターフェース７１８は、音響信号に埋め込まれている情報を検出する目的で、電子リーダデバイス７１０のマイクロホンを通じて受信された音響信号を処理することができる。図７の例において、電子リーダデバイス７１０は、構成パラメータ７２１に対応する情報を特定する。サービスインターフェース７０８は、電子リーダデバイス７１０をネットワークサービス７２０にリンクするか又はその他の方法で接続するために構成パラメータ７２１を利用することができる。例として、構成パラメータ７２１は、ネットワークサービス７２０と通信し、ネットワークサービス７２０にアクセスするときに、電子リーダデバイス７１０のサービスインターフェース７０８がアカウント識別子、ログイン、パスワード、及び／又はその他のパラメータをプログラムによって指定することを可能にすることができる。
【００８３】
[0031]一部の変更形態において、モバイルコンピューティングデバイス７５０は、音響構成ファイル７０２を受信し、次いで、電子リーダデバイス７１０の近くで音響構成ファイル７０２を再生する中間デバイスとして働く。１つの実装において、モバイルコンピューティングデバイス７５０は、メッセージングインターフェース７６５を含む。メッセージングインターフェース７６５は、例えば、電子メールアプリケーション、インスタントメッセージングアプリケーション、テキストメッセージ（例えば、ショートメッセージサービス）アプリケーション、又はその他のメッセージングプログラムに対応する可能性がある。ユーザは、メッセージングアカウントを既に記憶したか、又はそうでなければメッセージングアカウントをネットワークサービス７２０によって与えられたアカウント７２５にリンクした可能性がある。例えば、ユーザは、ネットワークサービス７２０によって電子メールアドレスを記憶する可能性がある。メッセージングインターフェース７６５は、ネットワークサービス７２０によるユーザのアカウントにリンクされているメッセージングアカウントにアクセスするために使用され得る。
【００８４】
[0032]１つの実装において、ネットワークサービス７２０は、特定のユーザのアカウントによって記憶された電子メールアカウント（又はその他のメッセージングの識別子）に電子メール又は電子メールの添付として音響構成ファイル７０２を転送することができる。ユーザは、モバイルコンピューティングデバイス７５０を使用して、音響構成ファイル７０２を有する電子メールにアクセスすることができる。このようにして、モバイルコンピューティングデバイス７５０は、音響構成ファイル７０２を再生することができる。ユーザは、音響構成ファイル７０２の再生による出力が電子リーダデバイス７１０によって受信されるようにモバイルコンピューティングデバイス７５０を電子リーダデバイス７１０の近くに（例えば、１０フィート以内に）位置付ける可能性がある。音響信号が電子リーダデバイス７１０に運ばれると、電子リーダデバイスは、運ばれた情報（例えば、構成パラメータ）を利用する構成プロセスなどの１つ又は複数のプロセスを実施する。
【００８５】
[0033]音響構成ファイル７０２を再生する際、モバイルコンピューティングデバイス７５０は、汎用スピーカを利用することができる。電子リーダデバイス７１０は通常のマイクロホンを利用して音響構成ファイル７０２の再生による音響信号を受信することができるので、電子リーダデバイス７１０に近距離場音響信号を運ぶために特別なハードウェア構成要素は必要とされない。
【００８６】
[0034]中間デバイス（モバイルコンピューティングデバイス７５０）を使用する代わりとして、一部の変更形態は、電子リーダデバイス７１０のために音響構成ファイル７０２を再生するネットワークサービス７２０を提供する。例えば、ネットワークサービス７２０は、音響構成ファイル７０２を再生して、電話又はリアルタイムチャネル上に音響信号を出力する可能性がある。電子リーダデバイス７１０のユーザは、音響信号を取り込み、出力するために、電子リーダデバイス７１０の隣に受信デバイス（例えば、電話）を位置付けることができる。そして、電子リーダデバイス７１０が、受信された音響信号を処理して、音響信号から情報を検出することができる。
【００８７】
（[0035]ハードウェアの説明）
[0036]図８は、本明細書において説明される１つ又は複数の実施形態で使用するためのエンドユーザデバイスの例を示す。図８の一例において、エンドユーザデバイスは、例えば、図７の例によってやはり示されたような電子リーダデバイス２００に対応する可能性がある。図８の例において、電子リーダデバイス２００は、プロセッサ８１０、ネットワークインターフェース８２０、ディスプレイ８３０、１つ又は複数の入力メカニズム８４０、及びメモリ８５０を含む。電子リーダデバイス２００は、マイクロホン８２２又はスピーカ８２４のうちの少なくとも１つも含む可能性がある。マイクロホン８２２又はスピーカ８２４のそれぞれは、汎用の多目的構成要素に対応する可能性がある。例えば、マイクロホン８２２又はスピーカ８２４のそれぞれは、音楽及び／又は音声を入力／出力するために使用される音響スペクトルを含む多種多様な音響スペクトルの音を受信又は出力するように製造される「既製の（ｏｆｆ−ｔｈｅ−ｓｈｅｌｆ）」構成要素である可能性がある。
【００８８】
[0037]一部の実装において、プロセッサ８１０は、ネットワークインターフェース８２０を利用してネットワークサービス７２０（図７参照）と通信する。ネットワークサービス７２０との通信で、電子リーダデバイス２００は、ユーザがネットワークサービス７２０から購入するか又はそうでなければダウンロードすることを選択する電子ブック又はメディアファイルなどのアプリケーションリソース２２１を受信することができる。電子リーダデバイス２００にダウンロードされるアプリケーションリソース２２１は、メモリ８５０に記憶され得る。アプリケーションリソース２２１に加えて、電子リーダデバイス２００は、ネットワークサービス７２０などのネットワークソースを含むさまざまなソースからアプリケーションをダウンロードすることができる。
【００８９】
[0038]ディスプレイ８３０は、電子ペーパー型ディスプレイに対応する可能性があり、電子ペーパー型ディスプレイは、それらのディスプレイがコンテンツを表示する方法において通常の紙を模倣する。そのようなディスプレイ技術の例は、電気泳動ディスプレイ、エレクトロウェッティングディスプレイ（ｅｌｅｃｔｒｏｗｅｔｔｉｎｇ  ｄｉｓｐｌａｙ）、及び電気流体ディスプレイ（ｅｌｅｃｔｒｏｆｌｕｉｄｉｃ  ｄｉｓｐｌａｙ）を含む。本明細書において説明される例は、電子式ディスプレイが設けられるメディアが変わる可能性があり、例えば、トランジスタ素子又はその他の回路と組み合わされるプラスチック又は紙を含む可能性があることをさらに認める。変更形態において、ディスプレイ８３０は、例えば、プロセッサ８１０から生成されたコンテンツを提供するために照光する液晶ディスプレイ（ＬＣＤ）又は発光ダイオード（ＬＥＤ）ディスプレイに対応する可能性がある。
【００９０】
[0039]一部の実施形態によれば、メモリ８５０は、（ｉ）符号化された音響入力を処理するための論理８５１、及び／又は（ｉｉ）符号化された音響出力を生成するための論理８５３のうちの少なくとも１つに対応する命令を記憶する。１つの実装において、マイクロホン８２２は、十分に近い位置での音響構成ファイル７０２の再生（例えば、モバイルコンピューティングデバイス７５０からの再生）によってもたらされる入力音２０１を受け取ることができる。プロセッサ８１０は、入力音２０１に埋め込まれた構成パラメータ及びその他の情報を検出するために音響入力論理８５１を実装する。
【００９１】
[0040]図９は、本明細書において説明される１つ又は複数の実施形態で使用するためのサーバの例を示す。特に、図９の例によって示されるようなサーバは、図７の例によって示されたようなサービスを実装するために使用され得る。一実施形態において、サーバ３００は、プロセッサ９１０（又は代替的に１つ若しくは複数のプロセッサ）、メモリリソース９２０、及びネットワークインターフェース９３０を含む。プロセッサ９１０は、メモリリソース９２０によって記憶された命令を実行することができる。加えて、プロセッサ９１０は、ネットワークインターフェース９３０を通じて１つ又は複数のユーザデバイスと通信することができる。動作中、メモリリソース９２０は、音響インターフェース９２１に対応する命令を記憶する。また、メモリリソース９２０は、例えば、ユーザアカウント記憶部７２４を含むさまざまなデータ記憶部を提供する。プロセッサ９１０は、音響構成ファイル９０２を生成するために音響インターフェース９２１に関する命令を実行する。プロセッサ９１０は、ユーザアカウント記憶部７２４（図７参照。メモリリソース９２０に記憶されるものとして示される）によって提供されるユーザアカウント情報９１１にアクセスすることができる。ユーザアカウント情報は、構成パラメータ及び音響構成ファイル９０２として符号化され得る。音響構成ファイル９０２は、ネットワークインターフェース９３０を通じて対応するエンドユーザデバイスに伝達され得る。
【００９２】
（[0041]音響インターフェース）
[0042]図１０は、一実施形態による、音響構成ファイル又は信号を生成するための音響インターフェースを示す。図７の例を参照すると、音響インターフェース１０００は、ネットワークサービス７２０の一部として実装される可能性がある（例えば、音響インターフェース７３８参照）。加えて、図９の例を参照すると、音響インターフェース１０００は、（ネットワークサービス７２０のための）サーバ３００のプロセッサ９１０によって実装される可能性がある。図１０の例の説明において、音響インターフェース１０００の動作環境における例示を目的として図７の要素に対する参照がなされる可能性がある。
【００９３】
[0043]一実施形態において、音響インターフェース１０００は、アカウントインターフェース１０１０と、データ／音声変換構成要素１０２０と、データパッケージャ（ｄａｔａ  ｐａｃｋａｇｅｒ）１０３０と、再生構成要素１０６０及び／又はメッセージング構成要素１０５０のうちの少なくとも１つとを含む。アカウントインターフェース１０１０は、例えば、電子リーダデバイス７１０の識別子に基づいてアカウント情報１０１５を取り出すことができる。識別子は、電子リーダデバイス７１０を運用するユーザによってか、又は別のコンピューティングデバイス（例えば、図７の例においてモバイルコンピューティングデバイス７５０によって提供されたような中間コンピューティングデバイス）によってかのどちらかで与えられる可能性がある。アカウント情報は、例えば、ネットワークサービス７２０の実装及びアプリケーションに応じて、例えば、アカウント識別子、ログイン、パスワード、プリファレンス、アカウントに関連するリソースの識別子、支払い情報（例えば、クレジットカード番号）、お気に入りリスト、デバイスの設定、及びさまざまなその他の情報を含み得る。
【００９４】
[0044]データ／音声変換構成要素１０２０は、アカウント情報１０１５を音声データ１０１７に変換する。１つの実装において、データ／音声変換構成要素１０２０は、アカウント情報１０１５に対応する情報のバイトを表すデータのフレームを生成する。音声データ１０１７は、アカウント情報１０１５と、より詳細には、アカウント情報から特定された構成パラメータとを表すように符号化され得る。複数の種類の符号化技術が、構成パラメータを埋め込むために使用され得る。特に、構成パラメータは、スペクトル拡散技術及び／又は電気的ウォーターマーク技術を使用して音声データとして符号化され得る。例えば、１つの実装においては、直交周波数分割多重化（ＯＦＤＭ）によって提供されるような変調技術が使用される可能性がある。変更形態において、符号化方式は、データ暗号化規格（「ＤＥＳ」）及びＲｉｖｅｓｔ、Ｓｈａｍｉｒ、Ａｄｌｅｍａｎ（「ＲＳＡ」）符号化を使用する技術を含むデジタルウォーターマーク技術によって提供される可能性がある。
【００９５】
[0045]さらに、１つの実装において、構成パラメータは、約１８ｋＨｚなど、可聴周波数範囲（１０Ｈｚ＜ｆｓ＜２２．０５ｋＨｚ）として埋め込まれる可能性がある。変更形態において、構成パラメータは、帯域外周波数範囲（１００ｋＨｚ＞ｆｓ＞２２．０５ｋＨｚ）として埋め込まれる可能性がある。音響構成ファイルは、音楽又は音声（例えば、メッセージ又は命令）などの音声コンテンツをさらに含む可能性がある。音響構成ファイル７０２が帯域外の範囲で与えられる音声コンテンツを含むとき、構成パラメータは、音声構成ファイルを人が聞くことを妨げる追加の音声の雑音なしに伝達され得る。
【００９６】
[0046]データパッケージャ１０３０は、ファイル又はストリームにまとめられる音響データ１０１９を生成するために音声データ１０１７を処理する。まとめられる音響データ１０１９は、音響信号に埋め込まれた個々のフレームが情報のビットを運ぶように所定のフォーマット及びプロトコルにしたがって構築されるか、又は所定のフォーマット及びプロトコルにしたがうシーケンスである可能性がある。音響構成ファイル１０２２が、まとめられる音響データ１０１９を用いて生成及び／又は保守される可能性がある。このように、音響構成ファイル１０２２は、エンドユーザデバイスのアカウントに関連する電子メールアドレスなどの指定された送信先に電子的に転送され得るように生成される可能性がある。
【００９７】
[0047]１つの変更形態において、音響インターフェース１０００は、電子リーダデバイス７１０のアカウントに関連付けられている送信先（例えば、ユーザによって指定された電子メールアドレス）に音響構成ファイル１０２２を転送するメッセージング構成要素１０５０を含む。例えば、メッセージング構成要素１０５０は、音響構成ファイル１０２２をアカウントに関連する電子メールアドレスに宛てた電子メールへの添付として組み込むための論理を含み得る。
【００９８】
[0048]別の変更形態において、音響インターフェース１０００は、音響構成ファイル１０２２からか、又はデータパッケージャ１０３０から直接かのどちらかで、再生構成要素１０６０に出力データ１０２３をシグナリングする。再生構成要素１０６０は、出力データ１０２３によって提供される構成パラメータ及び情報を埋め込む出力音響信号１０４１を生成することができる。１つの実装において、再生構成要素１０６０は、（例えば、約２０ｋＨｚ以上の）不可聴音響信号を生成する可能性がある。電子リーダデバイス７１０のスピーカがエンドユーザコンピューティングデバイスのごく近くに位置付けられるとき、スピーカの出力音響信号１０４１が、構成情報に対応する構成パラメータを決定するために電子リーダデバイス７１０のマイクロホンによって検出され、処理され得る。例として、電子リーダデバイス７１０のユーザは、出力音響信号１０４１に対応する音声ストリームを再生するために電話通信によって又は代替的なコンピューティングデバイスを通じてネットワークサービスにアクセスする可能性がある。
【００９９】
[0049]図１１は、電子リーダデバイス７１０（図７参照）又はその他のエンドユーザデバイスによって実装され得る音響インターフェースを示す。図１１の一例において、音響インターフェース１１００は、一実施形態によれば、電子リーダデバイスを構成することになる音響入力信号を受信し、処理するように動作させられる可能性がある。図７の例を参照すると、音響インターフェース１１００は、電子リーダデバイス７１０によって実装される（例えば、音響インターフェース７３８として実装される）可能性がある。したがって、音響インターフェース１１００の動作環境における例示を目的として図７の要素に対する参照がなされる可能性がある。一実施形態において、電子リーダデバイス７１０の音響インターフェース１１００は、音響信号を受信し、処理する。変更形態において、電子リーダデバイス７１０の音響インターフェース１１００は、コンピューティングデバイスの状態についての情報、又はコンピューティングデバイスで使用される構成情報などの情報を運ぶための音響信号出力をやはり生成することができる。
【０１００】
[0050]より詳細には、音響インターフェース１１００は、音響処理構成要素１１１０、音声／データ変換構成要素１１２０、及びパラメータ決定構成要素１１３０を含む。音響処理構成要素１１１０は、マイクロホン１１０１から音響信号入力１１１１を受信する。一部の実装において、音響信号入力１１１１は、不可聴音響範囲（例えば、２２．０５ｋＨｚ〜１００ｋＨｚまで）から検出される可能性がある。一部のその他の例で述べられたように、マイクロホン１１０１は、音声入力又は環境雑音を含む任意の形態の音響入力を受信することができる既製の汎用構成要素に対応する可能性がある。音響処理構成要素１１１０は、音声入力１１１１を処理して、検出可能な変調特性（例えば、振幅又は波長）を有する音響信号１１１３を特定することができる。音声／データ変換構成要素１１２０は、情報ビット１１１５を決定するために音響信号１１１３を処理することができる。パラメータ決定構成要素１１３０は、音声／データ変換構成要素１１２０から出力される情報ビット１１１５から１組の構成パラメータ１１３１を決定することができる。この１組の構成パラメータ１１３１は、電子リーダデバイス７１０のメモリに記憶され得る。例えば、構成記憶部１１０２が、音響インターフェース１１００の一部として保有される可能性がある。
【０１０１】
[0051]一部の実施形態において、音響インターフェース１１００は、音響信号の生成と受信とを両方行うことができる。より詳細には、音響インターフェース１１００は、デバイスに記憶された情報を符号化する音響データを生成する可能性がある。電子リーダデバイス７１０で音響データに符号化され得る情報の例は、デバイスの現在の構成の設定（例えば、ログイン又はパスワードなどの記憶されたアカウント情報、ネットワーク設定など）、デバイスに記憶されたコンテンツアイテムの識別情報を含む可能性があり、構成の実行の出力結果は、トラブルシューティングプロセスである。
【０１０２】
[0052]音響出力信号１１５１を生成するために、電子リーダデバイス７１０の音響インターフェース１１００は、データ／音声変換構成要素１１３２、データパッケージャ１１４０、メッセージングインターフェース１１５０、及び／又は再生構成要素１１６０を含み得る。データ／音声変換構成要素１１３２は、記憶された情報を音響出力データ１１３３に変換することができる。記憶された情報１１３１は、例えば、構成記憶部１１０２に記憶された構成パラメータ１１３１を含む可能性がある。代替又は追加として、データ／音声変換構成要素１１３２が、例えば、デバイスの設定、コンテンツライブラリ情報（例えば、ユーザデバイスに記憶された電子ブック）、活動ログ、及びメッセージ（例えば、肯定応答、活動が実行されたという確認）に対応する情報を変換することができる。さらに、そのような情報のその他の例は、ユーザによって記憶されたデータセット、電子リーダデバイス７１０と対にされるデバイスの識別情報、及びさまざまなその他の種類の情報を含み得る。
【０１０３】
[0053]一部の実施形態において、音響出力データ１１３３は、再生構成要素１１６０に与えられ、再生構成要素１１６０において、音響送信１１３７として出力される。送信は、人間に聞こえない音響信号の形態である可能性がある。１つの実装において、音響送信は、スピーカ１１１３を通じて出力され得る。マイクロホン１１１１と同様に、スピーカ１１１３は、音楽又は音声を出力することができる標準的な汎用構成要素である可能性がある。音響送信１１３７は、音響送信１１３７を検出し、その音響送信１１３７に基づいて動作することができる受信ソースの近くで出力される可能性がある。１つの実装において、音響送信１１３７はモバイルコンピューティングデバイス７５０（図７参照）に与えられ、すると、モバイルコンピューティングデバイス７５０は、（ｉ）情報に関して音響送信１１３７を処理し、及び／又は（ｉｉ）音響送信１１３７をデータファイルにまとめ、次いで、データフェイルを、ネットワークサービス７２０（又は何らかの別のロケーション）への所与の転送でメッセージとして送信することができる。より詳細には、例として、モバイルコンピューティングデバイス７５０は、音響送信１１３７をネットワークサービス７２０にメッセージ送信することができ、ネットワークサービス７２０は、情報（診断テストの結果、構成情報、活動ログ、コンテンツライブラリ情報など）をユーザのアカウントに記憶することができる。代替的に、モバイルコンピューティングデバイス７５０は、後で電子リーダデバイス７１０で使用するために、音響送信１１３７から決定される情報を記憶する可能性がある。
【０１０４】
[0054]さらに、一部の実施形態において、音響出力データ１１３３は、データパッケージャ１１４０に与えられる。データパッケージャ１１４０は、音響出力データ１１３３をフレーム化し、フレーム化された音響データ１１３４をメッセージングインターフェース１１５０に伝達することができる。メッセージングインターフェース１１５０は、電子リーダデバイス７１０にインストールされる（図１１に示されていない）メッセージングアプリケーションのためのプログラムのインターフェースに対応する可能性がある。代替的に、メッセージングインターフェース１１５０は、音響インターフェース１１００と統合されるメッセージング転送に対応する可能性がある。そして、フレーム化された音響データ１１３４は、所与のフォーマット及びプロトコルのデータファイル１１３９に変換され得る。データファイル１１３９は、メッセージングインターフェース１１５０を介して１つ又は複数のメッセージングロケーションに転送され得る。例えば、データファイル１１３９は、ネットワークサービス７２０に関連するアドレスへの電子メールへの添付として転送され得る。
【０１０５】
（[0055]方法）
[0056]図１２は、１つ又は複数の実施形態による、エンドユーザデバイス（例えば、電子リーダデバイス７１０）が使用するための音響構成ファイルをネットワークサービスから生成するための方法を示す。図１３は、１つ又は複数の実施形態による、エンドユーザデバイス（電子リーダデバイス７１０）が音響構成ファイルを受信し、処理するための方法を示す。図１２及び図１３によって示されるような例は、図７〜図１１によって示されたような構成要素を用いて実装され得る。したがって、説明されるステップ又はサブステップを実行するための好適な構成要素を例示することを目的として図７〜図１１の要素に対する参照がなされる可能性がある。
【０１０６】
[0057]図１２を参照すると、ネットワークサービス７２０が、エンドユーザデバイス（電子リーダデバイス７１０）に関する構成パラメータの提供の要求を受信する（１２１０）。要求は、アカウント（例えば、ユーザのログイン又はパスワード、デバイスの識別子）を指定する可能性がある。代替的に、要求は、電子リーダデバイス７１０が新しいアカウントを必要としていることを特定する可能性がある。要求は、電子リーダデバイス自体から受信される可能性がある（１２１２）。代替的に、要求は、中間デバイス（例えば、モバイルコンピューティングデバイス７５０）から与えられる可能性がある（１２１４）。さらに、電子リーダデバイス７１０が新しいデバイスであるときなど、場合によっては、ユーザが、電話通信によって（例えば、ユーザがヘルプセンターに電話する）、又は口頭での要求によって（例えば、ユーザは店にいる）要求を行う可能性がある。
【０１０７】
[0058]ネットワークサービス７２０が、電子リーダデバイスに関連するアカウント又はその他の識別子に基づいて電子リーダデバイスのための１組の構成パラメータを特定する（１２２０）。例えば、電子リーダデバイス７１０が既存のアカウントに関連付けられている場合（１２２２）、ネットワークサービスは、特定のアカウントのための構成パラメータを特定することができる。しかし、電子リーダデバイス７１０がアカウントに関連付けられていない（例えば、新しいか、又はこれまでにない（ｏｕｔ−ｏｆ−ｂｏｘ）ものである）場合、ネットワークサービス７２０は、新しいデバイスのための構成パラメータを取り出すことができる（１２２４）。したがって、実装及び／又は使用方法に応じて、構成パラメータは、特定のデバイス若しくはアカウント、又はデバイスの特徴付け若しくは分類（例えば、新しいデバイス）に対して選択され得る。
【０１０８】
[0059]ネットワークサービス７２０が、選択された１組の構成パラメータに基づいて音響構成ファイル７０２を生成することができる（１２３０）。例えば、音響インターフェース１０００（図１０）が、１組の構成パラメータを含むように符号化された音響構成ファイル７０２を生成するためにネットワークサービス７２０によって実装される可能性がある。
【０１０９】
[0060]１つの実装において、構成パラメータは、可聴周波数範囲（１０Ｈｚ＜ｆｓ＜２２．０５ｋＨｚ）として埋め込まれる可能性がある。変更形態において、構成パラメータは、帯域外周波数範囲（１００ｋＨｚ＞ｆｓ＞２２．０５ｋＨｚ）として埋め込まれる可能性がある。音響構成ファイルは、音楽又は音声（例えば、メッセージ又は命令）などの音声コンテンツをさらに含む可能性がある。音響構成ファイル７０２が帯域外の範囲で与えられる音声コンテンツを含むとき、構成パラメータは、音声構成ファイルを人が聞くことを妨げる追加の音声の雑音なしに伝達され得る。
【０１１０】
[0061]複数の種類の符号化技術が、音響構成ファイルに構成パラメータなどの情報を埋め込むために使用され得る。特に、構成パラメータは、スペクトル拡散技術及び／又は電気的ウォーターマーク技術を使用して音声データとして符号化され得る。例えば、１つの実装においては、直交周波数分割多重化（ＯＦＤＭ）によって提供されるような変調技術が使用される可能性がある。変更形態において、符号化方式は、ＤＥＳ又はＲＳＡ符号化を使用する技術を含むデジタルウォーターマーク技術によって提供される可能性がある。
【０１１１】
[0062]次いで、ネットワークサービス７２０が、音響構成ファイル７０２をアカウント又はユーザに関連するロケーションにメッセージ送信する（１２４０）。例えば、電子リーダデバイス７１０が既存のアカウントに関連付けられているとき、ネットワークサービス７２０は、特定されたアカウントの電子メール、又は特定されたアカウントによって与えられるその他のメッセージングロケーションに音響構成ファイル７０２を送信する可能性がある。例えば、電子リーダデバイス７１０が例えばこれまでにないデバイスであるとき、ユーザは、要求を行うときにメッセージングロケーションを提供するように促される可能性がある。例えば、ユーザは、ヘルプセンターに電話し、支援を要求する可能性がある。構成されるべき特定のデバイスに関連付けられているアカウントがない場合、ユーザは、音響構成ファイル７０２が送信され得る電子メールアドレスを提供するように促される可能性がある。
【０１１２】
[0063]図１３を参照すると、電子リーダデバイス７１０が、音響信号を検出する（１３１０）。音響信号は、その電子リーダデバイスのマイクロホンの近くで音響構成ファイル７０２を再生する別のコンピュータによって生成される可能性がある。１つの実装においては、中間デバイス（例えば、モバイルコンピューティングデバイス７５０）が、音響構成ファイル７０２を電子リーダデバイス７１０の近くに置く（１３１２）。変更形態においては、ネットワークサービス７２０が、音響信号を生成し、電話通信により伝達する可能性がある。例えば、ネットワークサービス７２０が電子リーダデバイスによって検出される音響信号を出力するために、ユーザが、有効な呼（例えば、初期設定の呼、トラブルシューティングの呼）の間、ハンドセット受信機を電子リーダデバイス７１０の近くに置く可能性がある。
【０１１３】
[0064]音響信号が電子リーダデバイス７１０によって検出されると、電子リーダデバイス７１０が、１組の構成パラメータ又はその他の情報を特定するために、音響送信を処理する（１３２０）。例えば、電子リーダデバイス７１０は、到着する音響信号を処理し、構成パラメータを決定するために音響インターフェース１１００を使用する可能性がある。
【０１１４】
[0065]電子リーダデバイス７１０が、１組の構成パラメータを使用して電子リーダデバイス７１０自体を構成する（１３３０）。その他の例で述べられたように、構成パラメータは、例えば、ネットワークサービス７２０に自動的にアクセスするためにデバイスによって使用され得るユーザアカウント情報を例えば、電子リーダデバイスが得ることを可能にすることができる。したがって、例えば、構成パラメータは、アカウントのログイン及びパスワード、クレジットカード情報、デバイスの識別子、又は電子リーダデバイスがネットワークサービス７２０（又はその他のネットワークサービス）にアクセスするために必要とされるその他の情報を提供する可能性がある。代替形態又は変更形態として、構成パラメータは、電子リーダデバイスを更新するか、又は電子リーダデバイスのトラブルシューティングを行うために処理リソースによって実装されるデバイスの設定又はデータセットに対応する可能性がある。
【０１１５】
[0066]一部の実施形態においては、エンドユーザデバイス（電子リーダデバイス７１０）が、エンドユーザデバイスに記憶されるか又はそうでなければ与えられる情報を特定する音響情報を生成し、出力する（１３４０）。例えば、電子リーダデバイス７１０は、音響構成ファイル７０２の受信を確認する情報を含む音響信号を生成する可能性がある。さらに、一部の変更形態においては、電子リーダデバイス７１０は、構成プロセスを実施したことによる応答又は結果を伝達する可能性がある。例えば、電子リーダデバイス７１０は、音響構成ファイル７０２で伝達された構成パラメータを使用して構成（又は診断）プロセスを実施し、次いで、電子リーダデバイス７１０のスピーカを介して中間デバイスに出力される音響情報によって構成プロセスの実施の結果生じる情報を伝達する可能性がある。そのような実装において、電子リーダデバイスは、マイクロホンを通じて音響構成ファイル７０２を受信し、次いで、デバイスのスピーカを通じて結果として得られる音響情報を生成する。中間デバイス（例えば、モバイルコンピューティングデバイス７５０）が、音響構成ファイル７０２を送信し、電子リーダデバイス７１０から生成された音響情報を受信するために使用される可能性がある。このように、電子リーダデバイスは、ネットワークサービス７２０又はその他のエンティティに構成プロセスの結果を知らせるために音響情報を生成する可能性がある（１３４２）。そのような出力は、例えば、ユーザが遠隔のヘルプセンターの助けを借りてそのユーザの電子リーダデバイスを構成するように試みているトラブルシューティングのステップの実施を支援することができる。
【０１１６】
[0067]一部の変更形態においては、電子リーダデバイス７１０が、音響信号を用いて１組の構成パラメータを音響情報として伝達する可能性がある。例えば、電子リーダデバイス７１０は、中間デバイス（例えば、モバイルコンピューティングデバイス７５０）に伝達すべき音響信号を生成する可能性がある。構成パラメータは、後で使用するためにモバイルコンピューティングデバイス７５０に記憶され得る。例えば、電子リーダデバイス７１０は、ネットワークサービス７２０ではなくて中間デバイス（例えば、電子リーダデバイス７１０と対にされ得るモバイルコンピューティングデバイス７５０）から構成パラメータを後で取り出すことができる。一部の変更形態において、モバイルコンピューティングデバイス７５０は、構成パラメータの記憶された組を電子リーダデバイス７１０に音響送信として伝達する可能性がある。したがって、電子リーダデバイス７１０は、中間デバイスによって取り込まれ、必要に応じて電子リーダデバイスに対して後で再生するためにネイティブの又は音響的な形態で記憶される音響出力データをシグナリングする可能性がある。
【０１１７】
（[0068]使用例）
[0069]実施形態は、時折、新しいデバイス（例えば、電子リーダデバイス７１０）の購入が、特定のユーザの継続使用のためにそのようなデバイスを確立することに関して問題をはらんだ段階になり得ることを認める。電子リーダデバイス７１０に関して、例えば、そのようなデバイスは、電子ブックがダウンロードされ得るネットワークサービスにリンクされることが多い。さらに、そのようなデバイスの機能は、電子ブック（又はその他のデジタルコンテンツアイテム）がダウンロード又は購入され得るネットワークサービスにデバイスがアクセスすることができない場合、大幅に制限される。したがって、例えば、ユーザがネットワーク接続性を確立すること又は新しいアカウントを確立することができないと、新しいデバイスのユーザのこれまでにない楽しみを大きく妨げる可能性がある。反対に言えば、そのようなユーザが助けを求めるとき、通常の手法は問題がある可能性がある場合がある。ユーザがネットワークにアクセスできない及び／又は必要なネットワークサービスにアクセスできない場合、遠隔でデバイスのトラブルシューティングを行う製造業者又はプロバイダの能力もまた制限される。
【０１１８】
[0070]一方、本明細書に記載の例は、とりわけ有益なことに、概して任意のユーザが利用できるリソースを使用してネットワーク接続性を実現する及び／又はネットワークサービスにアクセスするための構成プロセスをユーザが実行することを可能にする。加えて、ユーザの必要とされる行為が、より通常の手法よりもずっと実行が容易である可能性がある。通常の手法では、例えば、ユーザは、必要とされることをほとんど知らない可能性があるときに、さまざまなネットワーク設定及び／又はアカウント情報を入力しなければならないことがある。
【０１１９】
[0071]一部の実施形態において、ユーザは、ヘルプセンター（例えば、技術支援電話窓口）に電話を掛け、それから、ヘルプセンターに電子メールアドレスを教える可能性がある。ヘルプセンターは、ユーザのエンドデバイスのための構成パラメータを決定し、次いで、音響構成ファイル７０２をプログラムによって生成する可能性がある。そのとき、ユーザは、電話のハンドセットを構成されるべきデバイスの近くに置く可能性がある。ネットワークサービスは、電話回線で音響送信を出力する可能性があり、電話回線の出力の近くに電子リーダを置くことは、電子リーダデバイスがその電子リーダデバイスのマイクロホンを通じて送信を受信することを可能にする。音響送信を受信すると、電子リーダデバイス７１０は、ユーザがネットワークサービスにアクセスすることができるように、ネットワークサービスのログイン及びパスワードなどの必要な情報でその電子リーダデバイス７１０自体を構成することができる。
【０１２０】
[0072]加えて、一部の変更形態において、電子リーダデバイス７１０は、ヘルプセンターがトラブルシューティングを行うことを支援するために診断又は修正プロセスを実施する可能性がある。例えば、ヘルプデスクから提供される音響送信が、電子リーダが診断プロセスを実行することをトリガするデータセットを提供する可能性がある。さらに、電子リーダデバイス７１０は、ネットワークサービス７２０に電話のチャネルを通じて伝達され得る音響応答を返す可能性がある。電子リーダデバイス７１０から返される音響送信は、診断又は修正プロセスの結果に関連する情報を含む可能性がある。このように、電子リーダデバイス７１０は、音響信号の送信によって構成、診断、又は修正される可能性がある。
【０１２１】
[0073]別の使用例として、ネットワークサービス７２０から音響送信を生成するのではなく、ネットワークサービス７２０が、音響構成ファイル７０２をメッセージへの添付としてまとめる可能性がある。メッセージは、ユーザによって与えられた電子メールアドレスに伝達され得る。ユーザは、電子リーダデバイス７１０の近くで音響構成ファイル７０２を出力するようにそれらのユーザのモバイルハンドセットなどの中間デバイスを操作する可能性がある。そして今度は、電子リーダデバイス７１０が、音響送信に埋め込まれた構成パラメータ及びその他の情報によってその電子リーダデバイス７１０自体を構成する可能性がある。
【０１２２】
（[0074]代替形態又は変更形態）
[0075]代替形態又は変更形態として、本明細書においてさまざまな例で説明されたような音声構成ファイルは、メディアファイルの形態で提供される可能性がある。したがって、例えば、オーディオ−ビジュアルコンテンツが、例えば、エンドデバイスが検出可能である音響構成パラメータを含む可能性がある。ユーザは、検出可能な音声信号内の構成パラメータを電子リーダデバイスに検出及び処理させながら、同時に、例えば、モバイルコンピューティングデバイス７５０で音声／ビデオコンテンツを受信するためにメディアファイルを再生することができる。一部のその他の例で述べられたように、音声信号の符号化は、可聴範囲の周波数か又は不可聴（ｏｕｔ−ｏｆ−ａｕｄｉｏ）範囲の周波数のどちらかを使用する可能性がある。
【０１２３】
[0076]変更形態において、モバイルコンピューティングデバイス７５０は、視覚的な符号化（ｖｉｓｕａｌ  ｅｎｃｏｄｉｎｇ）を含むビデオコンテンツを出力する可能性がある。例えば、モバイルコンピューティングデバイス７５０のディスプレイが、視覚的な符号化を出力する可能性があり、電子リーダデバイスのカメラ構成要素が、視覚的な出力に埋め込まれたコードを検出する可能性がある。視覚的な符号化方式は、例えば、静止画像、動画、又はＱＲコードを利用する可能性がある。特に、カメラが、構成パラメータに関して処理され得る視覚的な情報を検出することができる。
【０１２４】
[0077]例示的な実施形態が添付の図面を参照して本明細書において詳細に説明されたが、特定の実施形態及び詳細の変更形態は、本開示によって包含される。本明細書に記載の実施形態の範囲は請求項及びそれらの請求項の均等物によって定義されることが意図される。さらに、個別にか又は実施形態の一部としてかのどちらかで説明された特定の特徴は、その他の個別に説明された特徴又はその他の実施形態の一部と組み合わされ得ると考えられる。したがって、組み合わせについて説明していないことが、発明者（ら）がそのような組み合わせに対する権利を主張することを妨げてはならない。
【０１２５】
次に、以上述べた本発明の各実施形態から抽出される技術的思想を請求項の記載形式に準じて列挙する。本発明に係る技術的思想は上位概念から下位概念まで、様々なレベルやバリエーションにより把握できるものであり、以下の記載に本発明が限定されるものではない。
（項目１）
エンドユーザデバイスを構成するための方法であって、１つ又は複数のプロセッサによって実施され、
（ａ）アカウント又は前記エンドユーザデバイスに関連する情報を取得するステップと、
（ｂ）前記アカウント又は前記エンドユーザデバイスに関連する前記情報に基づく構成パラメータを埋め込む音響構成ファイルを生成するステップと、
（ｃ）前記アカウントに関連する送信先に前記音響構成ファイルを伝達するステップであり、前記音響構成ファイルが、前記エンドユーザデバイスに前記構成パラメータを運ぶ音響信号を生成するために再生可能である、ステップとを含む、方法。
（項目２）
前記音響構成ファイルを伝達するステップが、前記音響構成ファイルを、前記アカウントに関連するメッセージングの送信先にメッセージとして送信するサブステップを含む項目１に記載の方法。
（項目３）
情報を取得するステップが、前記アカウントの一部として記憶される１つ又は複数の情報を取得するサブステップを含み、前記１つ又は複数の情報が、前記アカウントに関して与えられたアカウントのログイン、アカウントのパスワード、又はクレジットカード番号のうちの少なくとも１つに対応する項目１に記載の方法。
（項目４）
情報を取得するステップが、（ｉ）前記エンドユーザデバイスを再構成すること、（ｉｉ）前記エンドユーザデバイスで診断プロセスを実行すること、及び（ｉｉｉ）前記エンドユーザデバイスでプログラムによる修正プロセスを実施することのうちの１つ又は複数を実行するためのデバイスの情報を取得するサブステップを含む項目１に記載の方法。
（項目５）
（ａ）〜（ｃ）が、ネットワークサービスの一部としてサーバで実行される項目１に記載の方法。
（項目６）
（ａ）、（ｂ）、又は（ｃ）のうちの少なくとも１つが、前記アカウント又は前記エンドユーザデバイスに関連する中間デバイスで実行される項目１に記載の方法。
（項目７）
（ｂ）が、音声コンテンツを前記音響構成ファイルに組み込むサブステップを含み、前記音声コンテンツが、音楽又は音声メッセージのうちの少なくとも１つに対応する項目１に記載の方法。
（項目８）
（ｂ）が、スペクトル拡散技術及び／又は電気的ウォーターマーク技術を使用して前記構成パラメータを符号化するサブステップを含む項目１に記載の方法。
（項目９）
エンドユーザデバイスを構成するための方法であって、１つ又は複数のプロセッサによって実施され、
前記エンドユーザデバイスの多目的マイクロホンを通じて音響信号を受信するステップと、
前記音響信号に埋め込まれた１つ又は複数の構成パラメータを検出するステップと、
検出された構成パラメータを使用して前記エンドユーザデバイスを構成するステップとを含む、方法。
（項目１０）
前記構成パラメータが、アカウント識別子、ログイン、パスワード、及び／又は支払い情報のうちの１つ又は複数を含み、前記エンドユーザデバイスを構成するステップが、プログラムによってネットワークサービスにアクセスし、前記ネットワークサービスを利用するように前記エンドユーザデバイスを構成するサブステップを含み、前記エンドユーザデバイスが、前記エンドユーザデバイスが前記ネットワークサービスにアクセスし、前記ネットワークサービスを利用することを可能にする際の前記構成パラメータのうちの１つ又は複数の使用を自動化する項目９に記載の方法。
（項目１１）
前記構成パラメータが、１つ又は複数の設定又は診断パラメータを含み、前記エンドユーザデバイスを構成するステップが、前記エンドユーザデバイスが１つ又は複数のプログラムによる修正又は診断プロセスを実施することを可能にするサブステップを含み、前記エンドユーザデバイスが、プログラムによる診断又は修正プロセスを実行する際の前記構成パラメータのうちの１つ又は複数の使用を自動化する項目９に記載の方法。
（項目１２）
前記エンドユーザデバイスが構成された後、前記エンドユーザデバイス上の情報を特定する音響情報ファイルを生成するステップと、
音響信号が生成され、中間デバイスによって検出されるように前記エンドユーザデバイスの汎用スピーカを通じて前記音響情報ファイルを再生するステップとをさらに含む項目９に記載の方法。
（項目１３）
前記エンドユーザデバイスが前記１つ又は複数のプログラムによる修正又は診断プロセスを実施した後、前記エンドユーザデバイス上の情報を特定する音響情報を生成するステップと、
音響信号が生成され、中間デバイスによって検出されるように前記エンドユーザデバイスの汎用スピーカを通じて前記音響情報ファイルを再生するステップとをさらに含む項目１１に記載の方法。
（項目１４）
エンドユーザデバイスを構成するための方法であって、１つ又は複数のプロセッサによって実施され、
第１のコンピュータで、
エンドユーザデバイスのアカウントに関連する情報を決定するステップと、
１つ又は複数の構成パラメータを音響データとして埋め込む音響構成ファイルを生成するステップと、
前記音響構成ファイルを指定された送信先に送信するステップと、
前記エンドユーザデバイスで、
前記音響構成ファイルが前記指定された送信先から再生されることによって生成される音響信号から前記１つ又は複数の構成パラメータを検出するステップと、
前記音響信号から検出された前記１つ又は複数の構成パラメータに基づいて前記エンドユーザデバイスを構成するステップとを含む、方法。
（項目１５）
前記構成パラメータが、エンドユーザデバイスをネットワークサービスによって提供されるアカウントにリンクするためのアカウントパラメータに対応し、前記エンドユーザデバイスを構成するステップが、前記エンドユーザデバイスが前記ネットワークサービスにアクセスし、前記ネットワークサービスを利用することを可能にするために、所与のイベントに応答して、前記アカウントパラメータを前記ネットワークサービスに自動的にシグナリングするように前記エンドユーザデバイスを構成するサブステップを含む項目１４に記載の方法。
（項目１６）
前記構成パラメータが、アカウント識別子、ログイン、パスワード、及び／又は支払い情報のうちの１つ又は複数に対応する項目１５に記載の方法。
（項目１７）
前記１つ又は複数の構成パラメータが、１つ又は複数の設定又は診断パラメータを含み、前記エンドユーザデバイスを構成するステップが、前記エンドユーザデバイスが１つ又は複数のプログラムによる修正又は診断プロセスを実施することを可能にするサブステップを含み、前記エンドユーザデバイスが、プログラムによる診断又は修正プロセスを実行する際の前記構成パラメータのうちの１つ又は複数の使用を自動化する項目１４に記載の方法。
（項目１８）
前記指定された送信先が、ユーザの中間デバイスがアクセス可能なメッセージングの送信先に対応し、前記方法が、前記中間デバイスから前記音響構成ファイルを再生するステップをさらに含む項目１４に記載の方法。
（項目１９）
前記第１のコンピュータが、ネットワークサービスの一部として提供されるサーバに対応し、前記音響構成ファイルを送信するステップが、前記エンドユーザの前記アカウントに関連するメッセージングの送信先に前記音響構成ファイルを送信するサブステップを含む項目１４に記載の方法。
（項目２０）
前記音響構成ファイルを送信するサブステップが、前記音響構成ファイルを、前記メッセージングの送信先に宛てたメッセージへの添付として送信することを含む項目１９に記載の方法。
（項目２１）
前記エンドユーザデバイスが構成された後、前記エンドユーザデバイス上の情報を特定する音響信号が生成され、中間デバイスによって検出されるように、前記エンドユーザデバイスの汎用スピーカを通じて前記音響信号を出力するステップをさらに含む項目１４に記載の方法。
（項目２２）
前記音響データを出力するステップが、前記エンドユーザデバイスを構成するステップの結果として生じた情報を音響データに埋め込み、音響データを前記エンドユーザデバイスに記憶されるファイルとしてまとめるサブステップを含む項目２１に記載の方法。
【０１２６】
本発明の実施形態について、更に説明する。即ち、本発明の一実施形態は、コンピュータにおいて、エンドユーザデバイス（例えば、電子リーダデバイス１１０，７１０）に、情報を取得させる方法である。エンドユーザデバイスに取得させる情報は、ネットワークを介してサービスを提供するアプリケーションを利用するために必要な情報、及びネットワーク接続に必要な情報のうちの少なくともいずれか一方の情報である。この方法を実施するコンピュータは、例えば、ネットワークサービス１２０，７２０に関連するサーバ、又はエンドユーザデバイスのユーザの端末装置である。ネットワークサービス１２０，７２０に関連するサーバは、具体的には、電子リーダデバイス１１０，７１０に電子書籍を提供するサービスを構成するサーバである。また、エンドユーザデバイスのユーザの端末装置は、例えば、電子リーダデバイス１１０，７１０のユーザが所有するモバイルコンピューティングデバイス１５０，７５０である。
【０１２７】
本実施形態の方法は、ネットワークを介してサービスを提供するアプリケーションを利用するために必要な情報、及びネットワーク接続に必要な情報のうちの少なくともいずれか一方の情報を取得する取得ステップと、取得ステップにおいて取得された情報に基づいて１組の構成パラメータを特定する特定ステップと、構成パラメータが埋め込まれた音響構成ファイルの少なくとも一部を生成する生成ステップと、構成パラメータをエンドユーザデバイスに取得させるために音響構成ファイルを再生する再生ステップと、を含む。この方法における各ステップは、ネットワークサービス１２０，７２０に関連するサーバ、又はエンドユーザデバイスのユーザのモバイルコンピューティングデバイス１５０，７５０により実施される。
【０１２８】
即ち、取得ステップにおいて、例えば特定された電子リーダデバイス１１０，７１０のユーザに関する情報に基づいて、電子リーダデバイス１１０，７１０がネットワークを介してサービスを提供するアプリケーションを利用するために必要な情報、及びネットワーク接続に必要な情報のうちの少なくともいずれか一方の情報を取得する。
【０１２９】
また、特定ステップにおいて、取得ステップで取得された情報に基づいて、構成パラメータ１２１，７２１を特定する。構成パラメータ１２１，７２１は、例えば、アカウント識別子、特定されたアカウントのログイン及びパスワード、並びに／又はアカウントに関連する支払い情報である。また、構成パラメータ１２１，７２１は、ユーザのプリファレンス、ユーザアカウント若しくはそのアカウントのデバイスの設定、及び／又はユーザがダウンロードしたか若しくはダウンロードする許可を得ているリソース（例えば、電子ブック）の識別情報を含んでもよい。
【０１３０】
生成ステップにおいて、ネットワークサービス１２０，７２０に関連するサーバ、又はエンドユーザデバイスのユーザのモバイルコンピューティングデバイス１５０，７５０は、構成パラメータ１２１，７２１が埋め込まれた音響構成ファイル１０２，７０２を生成する。そして、再生ステップにおいて、音響構成ファイルを再生することにより、電子リーダデバイス１１０，７１０に構成パラメータを取得させる。電子リーダデバイス１１０，７１０は、構成パラメータを用いて、ネットワークサービス１２０，７２０に対するアクセスが可能になる。即ち、これにより、電子リーダデバイス１１０，７１０は、ネットワークサービス１２０，７２０により提供されるサービスの提供（例えば、電子書籍の提供等）を受けることが可能となる。
【０１３１】
（音響構成ファイルの生成）
構成パラメータが埋め込まれた音響構成ファイルを生成する処理について更に説明する。ネットワークサービス１２０，７２０を構成するサーバ又はモバイルコンピューティングデバイス１５０，７５０において音響構成ファイル生成する処理は、音声コンテンツを音響構成ファイルに組み込む処理を含むことができる。音声コンテンツは、例えば、音楽又は音声メッセージのうちの少なくとも１つであることができる。即ち、音声コンテンツを含む音響構成ファイルが再生されることにより、電子リーダデバイス１１０，７１０に構成パラメータ１２１，７２１を取得させながら、音声コンテンツが音響的に再生される。これにより、電子リーダデバイス１１０，７１０及びモバイルコンピューティングデバイス１５０，７５０のユーザに音声コンテンツを聴かせることが可能となる。
【０１３２】
また、音響構成ファイル生成する処理する処理において、ユーザのネットワークサービスの利用に関する履歴及びユーザの属性情報に基づき、音響構成ファイルに含ませる音声コンテンツを決定することとしてもよい。
【０１３３】
ネットワークサービス１２０，７２０を構成するサーバにおいて音響構成ファイルを生成する場合の例で具体的に説明する。この場合には、サーバは、ユーザごとに電子書籍の購入履歴等のネットワークサービスの利用に関する履歴を記憶している。また、サーバは、電子書籍、電子書籍のジャンル及び著者等と、音声コンテンツ及び音声コンテンツのジャンル等とを対応付けた情報を記憶している。サーバは、これらの情報に基づき、あるユーザに聴かせるべき音声コンテンツを抽出する。そして、サーバは、抽出した音声コンテンツを含む音響構成ファイルを生成することができる。
【０１３４】
また、サーバは、ユーザのプロファイル及びデモグラフィック情報等をユーザの属性情報としてユーザごとに記憶している。さらに、サーバは、各種のプロファイルデータ及びデモグラフィック情報の属性に音声コンテンツ及び音声コンテンツのジャンル等を対応付けた情報を記憶している。サーバは、これらの情報に基づき、あるユーザに聴かせるべき音声コンテンツを抽出する。そして、サーバは、抽出した音声コンテンツを含む音響構成ファイルを生成することができる。
【０１３５】
音声コンテンツは、音楽、音声広告等であることができる。これにより、電子リーダデバイス１１０，７１０及びモバイルコンピューティングデバイス１５０，７５０のユーザに好適な音声コンテンツを聴かせることができる。
【符号の説明】
【０１３６】
１００…システム、１０２…音響構成ファイル、１０８…サービスインターフェース、１１０…電子リーダデバイス、１１８…音響インターフェース、１２０…ネットワークサービス、１２１…構成パラメータ、１２２…リソース記憶部、１２４…ユーザアカウント記憶部、１２５…アカウント、１２８…デバイスインターフェース、１３８…音響インターフェース、１５０…モバイルコンピューティングデバイス、１５８…音響インターフェース、１６８…サービスインターフェース、２００…モバイルコンピューティングデバイス、２０３…出力音響信号、２１０…プロセッサ、２２０…ネットワークインターフェース、２２１…アプリケーションリソース、２２２…マイクロホン、２２４…スピーカ、２３０…ディスプレイ、２３１…入力音響信号、２４０…入力メカニズム、２５０…メモリ、２５３…音響出力論理、３００…音響インターフェース、３１０…データ獲得サブシステム、３１２…ローカル決定プロセス、３１４…取得プロセス、３１５…構成情報、３１６…ネットワークサービスインターフェース、３１７…音声データ、３１８…ネットワークインターフェース、３１９…データ、３２０…データ／音声変換構成要素、３２２…音響構成ファイル、３３０…データパッケージャ、３４０…再生構成要素、３６０…スピーカ、７００…システム、７０２…音響構成ファイル、７０８…サービスインターフェース、７１０…電子リーダデバイス、７１８…音響インターフェース、７２０…ネットワークサービス、７２１…構成パラメータ、７２２…リソース記憶部、７２４…ユーザアカウント記憶部、７２５…アカウント、７２８…デバイスインターフェース、７３８…音響インターフェース、７５０…モバイルコンピューティングデバイス、７６５…メッセージングインターフェース、８０１…入力音、８１０…プロセッサ、８２０…ネットワークインターフェース、８２１…アプリケーションリソース、８２２…マイクロホン、８２４…スピーカ、８３０…ディスプレイ、８４０…入力メカニズム、８５０…メモリ、８５１…音響入力論理、８５３…音響出力論理、９０２…音響構成ファイル、９１０…プロセッサ、９１１…ユーザアカウント情報、９２０…メモリリソース、９２１…音響インターフェース、９３０…ネットワークインターフェース、１０００…音響インターフェース、１０１０…アカウントインターフェース、１０１５…アカウント情報、１０１７…音声データ、１０１９…音響データ、１０２０…データ／音声変換構成要素、１０２２…音響構成ファイル、１０２３…出力データ、１０３０…データパッケージャ、１０４１…出力音響信号、１０５０…メッセージング構成要素、１０６０…再生構成要素、１１００…音響インターフェース、１１０１…マイクロホン、１１０２…構成記憶部、１１１０…音響処理構成要素、１１１１…音声入力、１１１３…音響信号、１１１５…情報ビット、１１２０…音声／データ変換構成要素、１１３０…パラメータ決定構成要素、１１３１…構成パラメータ、１１３２…データ／音声変換構成要素、１１３３…音響出力データ、１１３４…フレーム化された音響データ、１１３７…音響送信、１１３９…データファイル、１１４０…データパッケージャ、１１５０…メッセージングインターフェース、１１５１…音響出力信号、１１６０…再生構成要素。
【図１】
2015089106.tif 000003
【図２】
2015089106.tif 000004
【図３】
2015089106.tif 000005
【図４】
2015089106.tif 000006
【図５】
2015089106.tif 000007
【図６】
2015089106.tif 000008
【図７】
2015089106.tif 000009
【図８】
2015089106.tif 000010
【図９】
2015089106.tif 000011
【図１０】
2015089106.tif 000012
【図１１】
2015089106.tif 000013
【図１２】
2015089106.tif 000014
【図１３】
2015089106.tif 000015